(57)【要約】【課題】プレーヤが、編集により多くの時間を費やせるようにする。【解決手段】プレーヤは、撮影空間２５において、複数回撮影し、撮影画像の中から、編集対象画像を選択する。その後、プレーヤは、編集空間１０１において、編集対象画像に編集を施す。編集空間１０１において、プレーヤが、予め設定された標準編集設定時間分だけ、編集を行った後、装置本体２１の面２１ｂに配置されたコイン投入口から、所定の金額の硬貨が投入されていたか否かが判定され、硬貨が投入されていなければ、編集時間が延長される。その後、硬貨が投入されていた場合、サービス編集設定時間分、編集時間が延長される。本発明は、写真シール販売機に適用することができる。【選択図】図３
2004336704.tif 000002
【特許請求の範囲】
【請求項１】
被写体を撮影する撮影空間と、前記撮影空間で撮影された画像を編集する編集空間が、それぞれ分離して設けられた写真シール販売機において、
代金の支払いを検出する検出手段と、
前記撮影空間において前記被写体を撮影する撮影手段と、
前記撮影手段により撮影された前記被写体の画像を表示し、前記被写体の画像に対する編集入力を受け付ける前記編集空間に設けられた表示手段と、
前記表示手段により表示された前記被写体の画像に対して、編集入力を受け付けることにより作成された編集画像をシールシートに印刷する印刷手段と、
前記表示手段により、前記編集入力を受け付けた場合、前記編集入力を受け付ける標準の制限時間である標準編集設定時間が経過する前に、前記検出手段により前記代金の支払いが検出されたか否かを判定する判定手段と、
前記標準編集設定時間が経過するまでの間に、前記代金の支払いが検出されなかった場合、前記標準編集設定時間が経過した後も、前記表示手段による前記編集入力の受け付けを継続させ、その継続中に、前記代金の支払いが検出された場合、そのときからさらに延長して前記編集入力を受け付ける制限時間であるサービス編集設定時間分だけ、前記表示手段により前記編集入力を受け付けさせ、前記サービス編集設定時間が経過したとき、前記表示手段による前記編集入力の受け付けを終了させる制御手段と
を備えることを特徴とする写真シール販売機。
【請求項２】
前記制御手段は、前記編集入力の受け付けを終了させる指示が入力された場合、前記表示手段による前記編集入力の受け付けを終了させる
ことを特徴とする請求項１に記載の写真シール販売機。
【請求項３】
被写体を撮影する撮影空間と、前記撮影空間で撮影された画像を編集する編集空間が、それぞれ分離して設けられた写真シール販売機における写真シール印刷方法において、
代金の支払いを検出する検出ステップと、
前記撮影空間において前記被写体を撮影する撮影ステップと、
前記撮影ステップの処理により撮影された前記被写体の画像を前記編集空間に設けられた表示手段に表示し、前記被写体の画像に対する編集入力を受け付ける表示ステップと、
前記表示ステップの処理により表示された前記被写体の画像に対して、編集入力を受け付けることにより作成された編集画像をシールシートに印刷する印刷ステップと、
前記表示ステップの処理により、前記編集入力を受け付けた場合、前記編集入力を受け付ける標準の制限時間である標準編集設定時間が経過する前に、前記検出ステップの処理により前記代金の支払いが検出されたか否かを判定する判定ステップと、
前記標準編集設定時間が経過するまでの間に、前記代金の支払いが検出されなかった場合、前記標準編集設定時間が経過した後も、前記表示ステップの処理による前記編集入力の受け付けを継続させ、その継続中に、前記代金の支払いが検出された場合、そのときからさらに延長して前記編集入力を受け付ける制限時間であるサービス編集設定時間分だけ、前記表示ステップの処理により前記編集入力を受け付けさせ、前記サービス編集設定時間が経過したとき、前記表示ステップの処理による前記編集入力の受け付けを終了させる制御ステップと
を含むことを特徴とする写真シール印刷方法。
【請求項４】
被写体を撮影する撮影空間と、前記撮影空間で撮影された画像を編集する編集空間が、それぞれ分離して設けられた写真シール販売機において、
代金の支払いを検出する検出手段と、
前記撮影空間において前記被写体を撮影する撮影手段と、
前記撮影手段による前記被写体の撮影後、撮影後処理を実行する実行手段と、
前記撮影手段により撮影された前記被写体の画像を表示し、前記被写体の画像に対する編集入力を受け付ける前記編集空間に設けられた表示手段と、
前記表示手段により表示された前記被写体の画像に対して、編集入力を受け付けることにより作成された編集画像をシールシートに印刷する印刷手段と、
前記表示手段により、前記編集入力を受け付けた場合、前記編集入力を受け付ける標準の制限時間である標準編集設定時間が経過するまでの間に、前記検出手段により前記代金の支払いが検出されたか否かを判定する第１の判定手段と、
前記標準編集設定時間が経過するまでの間に、前記代金の支払いが検出されなかった場合、そのときから延長して前記編集入力を受け付ける制限時間であるサービス編集設定時間分だけ、前記表示手段により前記編集入力を受け付けさせる制御手段と、
前記サービス編集設定時間が経過した場合、予め設定された基準の処理が実行されたか否かを判定する第２の判定手段と
を備え、
前記制御手段は、前記サービス編集設定時間が経過した場合において、前記基準の処理が実行されていない場合、さらに前記サービス編集設定時間分だけ、前記表示手段により前記編集入力を受け付けさせる
ことを特徴とする写真シール販売機。
【請求項５】
前記基準の処理は、前記検出手段による前記代金の支払いの検出である
ことを特徴とする請求項４に記載の写真シール販売機。
【請求項６】
前記基準の処理は、前記撮影手段による前記被写体の撮影の開始である
ことを特徴とする請求項４に記載の写真シール販売機。
【請求項７】
前記基準の処理は、前記実行手段による前記撮影後処理の開始である
ことを特徴とする請求項４に記載の写真シール販売機。
【請求項８】
前記撮影後処理は、前記撮影手段により撮影された複数の撮影画像から、前記表示手段により前記編集入力を受け付ける編集対象画像を選択する処理であり、
前記基準の処理は、前記編集対象画像の選択を決定する処理である
ことを特徴とする請求項４に記載の写真シール販売機。
【請求項９】
前記撮影空間に、前記表示手段による前記編集入力の受け付けを終了するように催促する催促手段をさらに備え、
前記基準の処理は、前記催促手段による、前記編集入力の受け付けの終了の催促である
ことを特徴とする請求項４に記載の写真シール販売機。
【請求項１０】
前記制御手段は、前記編集入力の受け付けを終了させる指示が入力された場合、前記表示手段による前記編集入力の受け付けを終了させる
ことを特徴とする請求項４乃至９のいずれかに記載の写真シール販売機。
【請求項１１】
被写体を撮影する撮影空間と、前記撮影空間で撮影された画像を編集する編集空間が、それぞれ分離して設けられた写真シール販売機における写真シール印刷方法において、
代金の支払いを検出する検出ステップと、
前記撮影空間において前記被写体を撮影する撮影ステップと、
前記撮影ステップの処理による前記被写体の撮影後、撮影後処理を実行する実行ステップと、
前記撮影ステップの処理により撮影された前記被写体の画像を前記編集空間に設けられた表示手段に表示し、前記被写体の画像に対する編集入力を受け付ける表示ステップと、
前記表示ステップの処理により表示された前記被写体の画像に対して、編集入力を受け付けることにより作成された編集画像をシールシートに印刷する印刷ステップと、
前記表示ステップの処理により、前記編集入力を受け付けた場合、前記編集入力を受け付ける標準の制限時間である標準編集設定時間が経過するまでの間に、前記検出ステップの処理により前記代金の支払いが検出されたか否かを判定する第１の判定ステップと、
前記標準編集設定時間が経過するまでの間に、前記代金の支払いが検出されなかった場合、そのときから延長して前記編集入力を受け付ける制限時間であるサービス編集設定時間分だけ、前記表示ステップの処理により前記編集入力を受け付けさせる第１の制御ステップと、
前記サービス編集設定時間が経過した場合、予め設定された基準の処理が実行されたか否かを判定する第２の判定ステップと、
前記サービス編集設定時間が経過した場合において、前記基準の処理が実行されていない場合、さらに前記サービス編集設定時間分だけ、前記表示ステップの処理により前記編集入力を受け付けさせる第２の制御ステップと
を含むことを特徴とする写真シール印刷方法。
【請求項１２】
被写体を撮影する撮影空間と、前記撮影空間で撮影された画像を編集する編集空間が、それぞれ分離して設けられた写真シール販売機において、
前記撮影空間において前記被写体を撮影する撮影手段と、
前記撮影手段により撮影された前記被写体の画像を表示し、前記被写体の画像に対する編集入力を受け付ける前記編集空間に設けられた表示手段と、
前記表示手段により表示された前記被写体の画像に対して、編集入力を受け付けることにより作成された編集画像をシールシートに印刷する印刷手段と、
前記撮影空間へのプレーヤの入室を検出する検出手段と、
前記表示手段により、前記編集入力を受け付けた場合、前記編集入力を受け付ける標準の制限時間である標準編集設定時間が経過する前に、次の前記プレーヤの入室が検出されたか否かを判定する判定手段と、
前記標準編集設定時間が経過する前に、次の前記プレーヤの入室が検出されなかった場合、前記標準編集設定時間が経過した後も、前記表示手段による前記編集入力の受け付けを継続させ、その継続中に、次の前記プレーヤの入室が検出された場合、そのときからさらに延長して前記編集入力を受け付ける制限時間であるサービス編集設定時間分だけ、前記表示手段により前記編集入力を受け付けさせ、前記サービス編集設定時間が経過したとき、前記表示手段による前記編集入力の受け付けを終了させる制御手段と
を備えることを特徴とする写真シール販売機。
【請求項１３】
前記制御手段は、前記編集入力の受け付けを終了させる指示が入力された場合、前記表示手段による前記編集入力の受け付けを終了させる
ことを特徴とする請求項１２に記載の写真シール販売機。
【請求項１４】
被写体を撮影する撮影空間と、前記撮影空間で撮影された
画像を編集する編集空間が、それぞれ分離して設けられた写真シール販売機における写真シール印刷方法において、
前記撮影空間において前記被写体を撮影する撮影ステップと、
前記撮影ステップの処理により撮影された前記被写体の画像を前記編集空間に設けられた表示手段に表示し、前記被写体の画像に対する編集入力を受け付ける表示ステップと、
前記表示ステップの処理により表示された前記被写体の画像に対して、編集入力を受け付けることにより作成された編集画像をシールシートに印刷する印刷ステップと、
前記撮影空間へのプレーヤの入室を検出する検出ステップと、
前記表示ステップの処理により、前記編集入力を受け付けた場合、前記編集入力を受け付ける標準の制限時間である標準編集設定時間が経過する前に、次の前記プレーヤの入室が検出されたか否かを判定する判定ステップと、
前記標準編集設定時間が経過する前に、次の前記プレーヤの入室が検出されなかった場合、前記標準編集設定時間が経過した後も、前記表示ステップの処理による前記編集入力の受け付けを継続させ、その継続中に、次の前記プレーヤの入室が検出された場合、そのときからさらに延長して前記編集入力を受け付ける制限時間であるサービス編集設定時間分だけ、前記表示ステップの処理により前記編集入力を受け付けさせ、前記サービス編集設定時間が経過したとき、前記表示ステップの処理による前記編集入力の受け付けを終了させる制御ステップと
を含むことを特徴とする写真シール印刷方法。
【請求項１５】
被写体を撮影する撮影空間と、前記撮影空間で撮影された画像を編集する編集空間とがそれぞれ分離して設けられた写真シール販売機において、
前記撮影空間にいる前記被写体である利用者を検知する検知手段と、
前記検知手段による検知の結果に応じて、前記編集空間で行われる編集の編集時間を延長させる延長手段と
を備え、
前記延長手段は、編集が開始されてからの経過時間が予め定められる固定の制限時間を経過した後は、前記検知手段により前記利用者が検知されてからの時間が猶予時間を経過する時刻まで前記編集時間を延長する
ことを特徴とする写真シール販売機。
【請求項１６】
前記延長手段は、前記検知手段により利用者が検知されない場合、予め定められた固定の最大時間に前記猶予時間を加えた時間を限度として前記編集時間を延長する
ことを特徴とする請求項１５に記載の写真シール販売機。
【請求項１７】
編集が開始される前にゲームを利用者に提供するか、編集が開始されてからゲームを利用者に提供し、ゲームの結果に応じて前記猶予時間を設定する設定手段をさらに備える
ことを特徴とする請求項１５に記載の写真シール販売機。
【請求項１８】
被写体を撮影する撮影空間と、前記撮影空間で撮影された画像を編集する編集空間とがそれぞれ分離して設けられた写真シール販売機の時間管理方法において、
前記撮影空間にいる前記被写体である利用者を検知する検知ステップと、
前記検知ステップの処理による検知の結果に応じて、前記編集空間で行われる編集の編集時間を延長させる延長ステップと
を含み、
前記延長ステップの処理によっては、編集が開始されてからの経過時間が予め定められる固定の制限時間を経過した後は、前記検知ステップの処理により前記利用者が検知されてからの時間が猶予時間を経過する時刻まで前記編集時間が延長される
ことを特徴とする時間管理方法。
【発明の詳細な説明】
【技術分野】
【０００１】
本発明は、写真シール販売機、および写真シール印刷方法に関し、特に、編集の時間をより多く確保できるようにした写真シール販売機、および写真シール印刷方法に関する。
【背景技術】
【０００２】
従来、プレーヤ（利用者）の画像を撮影し、これを予め用意されたフレーム画像と合成してシール紙などに印刷して提供する、いわゆる「プリント倶楽部（登録商標）」などの写真シール販売機が知られている。
【０００３】
この写真シール販売機においては、撮影後、プレーヤが、撮影により得られた画像上に付属のペン（落書きペン）で任意の文字や図形などを編集することができるようになされており、この編集する作業は、一般的に落書きと呼ばれている（以下において、「落書き」を「編集」とも称する）。
【０００４】
また、利用者を撮影する撮影部と、撮影した画像を編集する編集部を異なる位置に配置し、利用者が編集部で編集を行う編集猶予時間が満了した時点で、新たな利用者が撮影部で撮影を行っていた場合、新たな利用者による撮影が終了するまでの残余時間分だけ、編集部の利用者の編集猶予時間を延長するようにした写真シール販売機が存在する（例えば、特許文献１参照）。
【特許文献１】特許第３３２４０３８号公報
【発明の開示】
【発明が解決しようとする課題】
【０００５】
しかしながら、従来の写真シール販売機は、利用者が画像を編集する時間を十分に確保しているとはいえないという課題があった。
【０００６】
例えば、特許文献１においては、撮影猶予時間と撮影開始時間に基づいて、画像に編集することができる編集猶予時間をコントロールしているが、撮影部で行われる処理は、利用者の撮影だけではなく、その他の種々の処理がある。しかしながら、従来、それらの種々の処理まで考慮して、利用者が画像を編集することができる時間を制御するものはなかった。
【０００７】
本発明は、このような状況に鑑みてなされたものであり、編集の時間をより多く確保することができるようにするものである。
【課題を解決するための手段】
【０００８】
本発明の第１の写真シール販売機は、代金の支払いを検出する検出手段と、撮影空間において被写体を撮影する撮影手段と、撮影手段により撮影された被写体の画像を表示し、被写体の画像に対する編集入力を受け付ける編集空間に設けられた表示手段と、表示手段により表示された被写体の画像に対して、編集入力を受け付けることにより作成された編集画像をシールシートに印刷する印刷手段と、表示手段により、編集入力を受け付けた場合、編集入力を受け付ける標準の制限時間である標準編集設定時間が経過する前に、検出手段により代金の支払いが検出されたか否かを判定する判定手段と、標準編集設定時間が経過するまでの間に、代金の支払いが検出されなかった場合、標準編集設定時間が経過した後も、表示手段による編集入力の受け付けを継続させ、その継続中に、代金の支払いが検出された場合、そのときからさらに延長して編集入力を受け付ける制限時間であるサービス編集設定時間分だけ、表示手段により編集入力を受け付けさせ、サービス編集設定時間が経過したとき、表示手段による編集入力の受け付けを終了させる制御手段とを備えることを特徴とする。
【０００９】
この検出手段は、例えば、硬貨処理部により構成され、撮影手段は、例えば、デジタルカメラなどの撮影装置により構成され、表示手段は、例えばタッチパネルが積層されたLCD(Liquid Crystal Display)，CRT(Cathode Ray Tube)などにより構成される。印刷手段は、例えば、プリンタなどにより構成される。判定手段および制御手段は、例えば、CPU（Central Processing Unit）などにより構成される。
【００１０】
撮影空間とは、プレーヤが撮影手段を利用して撮影を行う空間であり、編集空間とは、プレーヤが表示手段により表示される画像に対して、例えば、好みの文字や記号を入力し、撮影した画像を落書き（編集）する空間である。
【００１１】
このような撮影空間、編集空間をそれぞれ異なる位置に配置することにより、２組のプレーヤが同時に本発明の写真シール販売機を利用することができる。すなわち、装置の利用者の回転率を向上させることができ、収益が向上する。また、撮影空間における撮影処理、編集空間における落書き（編集）処理に要する時間を、より長く確保することができる。
【００１２】
シールシートは、例えば、所定の枚数のシールからなるシール紙とされる。このシール紙は、それぞれが等しい大きさのシールからなるシートとすることもできるし、様々な大きさのシールからなるシートとすることもできる。当然、１枚の大きなシールであってもよい。
【００１３】
前記制御手段には、前記編集入力の受け付けを終了させる指示が入力された場合、前記表示手段による前記編集入力の受け付けを終了させるようにさせることができる。
【００１４】
本発明の第１の写真シール印刷方法は、代金の支払いを検出する検出ステップと、撮影空間において被写体を撮影する撮影ステップと、撮影ステップの処理により撮影された被写体の画像を編集空間に設けられた表示手段に表示し、被写体の画像に対する編集入力を受け付ける表示ステップと、表示ステップの処理により表示された被写体の画像に対して、編集入力を受け付けることにより作成された編集画像をシールシートに印刷する印刷ステップと、表示ステップの処理により、編集入力を受け付けた場合、編集入力を受け付ける標準の制限時間である標準編集設定時間が経過する前に、検出ステップの処理により代金の支払いが検出されたか否かを判定する判定ステップと、標準編集設定時間が経過するまでの間に、代金の支払いが検出されなかった場合、標準編集設定時間が経過した後も、表示ステップの処理による編集入力の受け付けを継続させ、その継続中に、代金の支払いが検出された場合、そのときからさらに延長して編集入力を受け付ける制限時間であるサービス編集設定時間分だけ、表示ステップの処理により編集入力を受け付けさせ、サービス編集設定時間が経過したとき、表示ステップの処理による編集入力の受け付けを終了させる制御ステップとを含むことを特徴とする。
【００１５】
本発明の第２の写真シール販売機は、代金の支払いを検出する検出手段と、撮影空間において被写体を撮影する撮影手段と、撮影手段による被写体の撮影後、撮影後処理を実行する実行手段と、撮影手段により撮影された被写体の画像を表示し、被写体の画像に対する編集入力を受け付ける編集空間に設けられた表示手段と、表示手段により表示された被写体の画像に対して、編集入力を受け付けることにより作成された編集画像をシールシートに印刷する印刷手段と、表示手段により、編集入力を受け付けた場合、編集入力を受け付ける標準の制限時間である標準編集設定時間が経過するまでの間に、検出手段により代金の支払いが検出されたか否かを判定する第１の判定手段と、標準編集設定時間が経過するまでの間に、代金の支払いが検出されなかった場合、そのときから延長して編集入力を受け付ける制限時間であるサービス編集設定時間分だけ、表示手段により編集入力を受け付けさせる制御手段と、サービス編集設定時間が経過した場合、予め設定された基準の処理が実行されたか否かを判定する第２の判定手段とを備え、制御手段は、サービス編集設定時間が経過した場合において、基準の処理が実行されていない場合、さらにサービス編集設定時間分だけ、表示手段により前記編集入力を受け付けさせることを特徴とする。
【００１６】
この検出手段は、例えば、硬貨処理部により構成され、撮影手段は、例えば、デジタルカメラなどの撮影装置により構成され、表示手段は、例えばタッチパネルが積層されたLCD，CRTなどにより構成される。印刷手段は、例えば、プリンタなどにより構成される。実行手段、判定手段、および制御手段は、例えば、CPUなどにより構成される。
【００１７】
前記基準の処理は、前記検出手段による前記代金の支払いの検出であるようにすることができる。
【００１８】
前記基準の処理は、前記撮影手段による前記被写体の撮影の開始であるようにすることができる。
【００１９】
前記基準の処理は、前記実行手段による前記撮影後処理の開始であるようにすることができる。
【００２０】
前記撮影後処理は、前記撮影手段により撮影された複数の撮影画像から、前記表示手段により前記編集入力を受け付ける編集対象画像を選択する処理であり、前記基準の処理は、前記編集対象画像の選択を決定する処理であるようにすることができる。
【００２１】
前記撮影空間に、前記表示手段による前記編集入力の受け付けを終了するように催促する催促手段をさらに設けるようにし、前記基準の処理は、前記催促手段による、前記編集入力の受け付けの終了の催促であるようにすることができる。
【００２２】
前記制御手段には、前記編集入力の受け付けを終了させる指示が入力された場合、前記表示手段による前記編集入力の受け付けを終了させるようにさせることができる。
【００２３】
本発明の第２の写真シール印刷方法は、代金の支払いを検出する検出ステップと、撮影空間において被写体を撮影する撮影ステップと、撮影ステップの処理による被写体の撮影後、撮影後処理を実行する実行ステップと、撮影ステップの処理により撮影された被写体の画像を編集空間に設けられた表示手段に表示し、被写体の画像に対する編集入力を受け付ける表示ステップと、表示ステップの処理により表示された被写体の画像に対して、編集入力を受け付けることにより作成された編集画像をシールシートに印刷する印刷ステップと、表示ステップの処理により、編集入力を受け付けた場合、編集入力を受け付ける標準の制限時間である標準編集設定時間が経過するまでの間に、検出ステップの処理により代金の支払いが検出されたか否かを判定する第１の判定ステップと、標準編集設定時間が経過するまでの間に、代金の支払いが検出されなかった場合、そのときから延長して編集入力を受け付ける制限時間であるサービス編集設定時間分だけ、表示ステップの処理により編集入力を受け付けさせる第１の制御ステップと、サービス編集設定時間が経過した場合、予め設定された基準の処理が実行されたか否かを判定する第２の判定ステップと、サービス編集設定時間が経過した場合において、基準の処理が実行されていない場合、さらにサービス編集設定時間分だけ、表示ステップの処理により編集入力を受け付けさせる第２の制御ステップとを含むことを特徴とする。
【００２４】
本発明の第３の写真シール販売機は、撮影空間において被写体を撮影する撮影手段と、撮影手段により撮影された被写体の画像を表示し、被写体の画像に対する編集入力を受け付ける編集空間に設けられた表示手段と、表示手段により表示された被写体の画像に対して、編集入力を受け付けることにより作成された編集画像をシールシートに印刷する印刷手段と、撮影空間へのプレーヤの入室を検出する検出手段と、表示手段により、編集入力を受け付けた場合、編集入力を受け付ける標準の制限時間である標準編集設定時間が経過する前に、次のプレーヤの入室が検出されたか否かを判定する判定手段と、標準編集設定時間が経過する前に、次のプレーヤの入室が検出されなかった場合、標準編集設定時間が経過した後も、表示手段による編集入力の受け付けを継続させ、その継続中に、次のプレーヤの入室が検出された場合、そのときからさらに延長して編集入力を受け付ける制限時間であるサービス編集設定時間分だけ、表示手段により編集入力を受け付けさせ、サービス編集設定時間が経過したとき、表示手段による編集入力の受け付けを終了させる制御手段とを備えることを特徴とする。
【００２５】
この撮影手段は、例えば、デジタルカメラなどの撮影装置により構成され、表示手段は、例えばタッチパネルが積層されたLCD，CRTなどにより構成される。印刷手段は、例えば、プリンタなどにより構成される。検出手段、判定手段、および制御手段は、例えば、CPUなどにより構成される。
【００２６】
前記制御手段には、前記編集入力の受け付けを終了させる指示が入力された場合、前記表示手段による前記編集入力の受け付けを終了させるようにさせることができる。
【００２７】
本発明の第３の写真シール印刷方法は、撮影空間において被写体を撮影する撮影ステップと、撮影ステップの処理により撮影された被写体の画像を編集空間に設けられた表示手段に表示し、被写体の画像に対する編集入力を受け付ける表示ステップと、表示ステップの処理により表示された被写体の画像に対して、編集入力を受け付けることにより作成された編集画像をシールシートに印刷する印刷ステップと、撮影空間へのプレーヤの入室を検出する検出ステップと、表示ステップの処理により、編集入力を受け付けた場合、編集入力を受け付ける標準の制限時間である標準編集設定時間が経過する前に、次のプレーヤの入室が検出されたか否かを判定する判定ステップと、標準編集設定時間が経過する前に、次のプレーヤの入室が検出されなかった場合、標準編集設定時間が経過した後も、表示ステップの処理による編集入力の受け付けを継続させ、その継続中に、次のプレーヤの入室が検出された場合、そのときからさらに延長して編集入力を受け付ける制限時間であるサービス編集設定時間分だけ、表示ステップの処理により編集入力を受け付けさせ、サービス編集設定時間が経過したとき、表示ステップの処理による編集入力の受け付けを終了させる制御ステップとを含むことを特徴とする。
【００２８】
本発明の第４の写真シール販売機は、被写体を撮影する撮影空間と、撮影空間で撮影された画像を編集する編集空間とがそれぞれ分離して設けられた写真シール販売機であって、撮影空間にいる前記被写体である利用者を検知する検知手段と、検知手段による検知の結果に応じて、編集空間で行われる編集の編集時間を延長させる延長手段とを備え、延長手段は、編集が開始されてからの経過時間が予め定められる固定の制限時間を経過した後は、検知手段により利用者が検知されてからの時間が猶予時間を経過する時刻まで編集時間を延長することを特徴とする。
【００２９】
検知手段は、例えば、撮影空間に設けられる操作パネルに対する利用者の入力や、利用者がモニタにふれたときに、そのモニタに積層されるタッチパネルが発生する信号に基づいて撮影空間にいる利用者を検知する。これ以外にもセンサを用いるなど、様々な方法を用いることが可能である。
【００３０】
延長手段は、検知手段により利用者が検知されない場合、予め定められた固定の最大時間に猶予時間を加えた時間を限度として編集時間を延長するようにすることができる。
【００３１】
本発明の第４の写真シール販売機は、編集が開始される前にゲームを利用者に提供するか、編集が開始されてからゲームを利用者に提供し、ゲームの結果に応じて猶予時間を設定する設定手段をさらに備えるようにすることができる。
【００３２】
本発明の時間管理方法は、被写体を撮影する撮影空間と、撮影空間で撮影された画像を編集する編集空間とがそれぞれ分離して設けられた写真シール販売機の時間管理方法であって、撮影空間にいる被写体である利用者を検知する検知ステップと、検知ステップの処理による検知の結果に応じて、編集空間で行われる編集の編集時間を延長させる延長ステップとを含み、延長ステップの処理によっては、編集が開始されてからの経過時間が予め定められる固定の制限時間を経過した後は、検知ステップの処理により利用者が検知されてからの時間が猶予時間を経過する時刻まで編集時間が延長されることを特徴とする。
【００３３】
本発明の第１の写真シール販売機、および写真シール印刷方法においては、代金の支払いが検出され、撮影空間において被写体が撮影され、撮影された被写体の画像が編集空間に設けられた表示手段に表示され、被写体の画像に対する編集入力が受け付けられ、撮影された被写体の画像に対して、編集入力が受け付けられることにより作成された編集画像がシールシートに印刷され、編集入力が受け付けられた場合、編集入力を受け付ける標準の制限時間である標準編集設定時間が経過する前に、代金の支払いが検出されたか否かが判定され、標準編集設定時間が経過するまでの間に、代金の支払いが検出されなかった場合、標準編集設定時間が経過した後も、編集入力の受け付けが継続され、その継続中に、代金の支払いが検出された場合、そのときからさらに延長して編集入力を受け付ける制限時間であるサービス編集設定時間分だけ、集入力が受け付けられ、サービス編集設定時間が経過したとき、編集入力の受け付けが終了される。
【００３４】
本発明の第２の写真シール販売機、および写真シール印刷方法においては、代金の支払いが検出され、撮影空間において被写体が撮影され、被写体の撮影後、撮影後処理が実行され、撮影された被写体の画像が編集空間に設けられた表示手段に表示され、被写体の画像に対する編集入力が受け付けられ、撮影された被写体の画像に対して、編集入力が受け付けられることにより作成された編集画像がシールシートに印刷され、編集入力が受け付けられた場合、編集入力を受け付ける標準の制限時間である標準編集設定時間が経過するまでの間に、代金の支払いが検出されたか否かが判定され、標準編集設定時間が経過するまでの間に、代金の支払いが検出されなかった場合、そのときから延長して編集入力を受け付ける制限時間であるサービス編集設定時間分だけ、編集入力が受け付けられ、サービス編集設定時間が経過した場合、予め設定された基準の処理が実行されたか否かが判定され、サービス編集設定時間が経過した場合において、基準の処理が実行されていない場合、さらにサービス編集設定時間分だけ、前記編集入力を受け付けられる。
【００３５】
本発明の第３の写真シール販売機、および写真シール印刷方法においては、撮影空間において被写体が撮影され、撮影された被写体の画像が編集空間に設けられた表示手段に表示され、被写体の画像に対する編集入力が受け付けられ、撮影された被写体の画像に対して、編集入力が受け付けられることにより作成された編集画像がシールシートに印刷され、撮影空間へのプレーヤの入室が検出され、編集入力が受け付けられた場合、編集入力を受け付ける標準の制限時間である標準編集設定時間が経過する前に、次のプレーヤの入室が検出されたか否かが判定され、標準編集設定時間が経過する前に、次のプレーヤの入室が検出されなかった場合、標準編集設定時間が経過した後も、編集入力の受け付けが継続され、その継続中に、次のプレーヤの入室が検出された場合、そのときからさらに延長して編集入力を受け付ける制限時間であるサービス編集設定時間分だけ、編集入力が受け付けられ、サービス編集設定時間が経過したとき、編集入力の受け付けが終了される。
【００３６】
本発明の第４の写真シール販売機および時間管理方法においては、撮影空間にいる被写体である利用者が検知され、検知の結果に応じて、編集空間で行われる編集の編集時間が延長される。また、編集が開始されてからの経過時間が予め定められる固定の制限時間を経過した後は、利用者が検知されてからの時間が猶予時間を経過する時刻まで編集時間が延長される。
【００３７】
本発明は、例えば、ゲームセンタなどに設置する写真シール販売機に適用することが出来る。
【発明の効果】
【００３８】
本発明によれば、プレーヤの回転率を向上させることができる。さらに、後続のプレーヤの撮影空間への入室から撮影後処理の終了までの時間の大部分を、編集時間の延長にあてることができ、編集の時間をより多く確保することが可能となる。
【発明を実施するための最良の形態】
【００３９】
【実施例１】
【００４０】
図１は、本発明を適用した写真シール販売機１０の構成例を示す斜視図である。
【００４１】
写真シール販売機１０は、装置本体２１、装置本体２１と対向する面に、装置本体２１から所定の距離だけ離間して設置された背面パネル２４、装置本体２１と背面パネル２４の間の空間の上部を覆うように設置された天井パネル２２、並びに装置本体２１と背面パネル２４の間の空間の側面を仕切るカーテン２３Lおよび２３Rにより構成されている。天井パネル２２は、装置本体２１と背面パネル２４により支持されている。
【００４２】
装置本体２１と背面パネル２４の間に形成された空間は、プレーヤ（利用者）が、撮影するための空間であり、プレーヤは、装置本体２１に設置された撮像装置６１（図２参照）により撮影する。以下、装置本体２１と背面パネル２４の間に形成された空間を撮影空間と称する。図１に示されるように、撮影空間２５は、上面が天井パネル２２により外部の空間から仕切られ、左右の側面が、カーテン２３Lおよび２３Rにより外部の空間から仕切られ、前後の側面が装置本体２１および背面パネル２４により外部の空間から仕切られている。このように、撮影空間２５と外部空間との間に、積極的に仕切りを設けることにより、プレーヤは、写真シール販売機１０の周囲に居る他人から、撮影中の姿を覗かれずに、安心して撮影を行うことができる。
【００４３】
装置本体２１の側面である面２１ｂには、硬貨の投入を受け付けるコイン投入口３１、および編集を施された画像（以下、編集済み画像と称する）が印刷されたシールシート（写真シール）が排出されるシール取出し口３２が設けられている。
【００４４】
背面パネル２４の、撮影空間２５側の面とは反対側の面２４ａのほぼ中央部には、編集用操作パネル４１−１および４１−２が左右に並んで配置されており、その近傍に落書きペン４２−１および４２−２がそれぞれ配置されている。また、編集用操作パネル４１−１および４１−２のそれぞれの下方には、編集用操作パネル４１−１および４１−２のそれぞれの画面表示に対応した音声を出力する編集用スピーカ４３−１および４３−２が配置されている。
【００４５】
なお、以下の説明において、編集用操作パネル４１−１および４１−２のそれぞれを個々に区別する必要がない場合、まとめて、編集用操作パネル４１と称し、落書きペン４２−１および４２−２のそれぞれを個々に区別する必要がない場合、まとめて落書きペン４２と称し、編集用スピーカ４３−１および４３−２のそれぞれを個々に区別する必要が無い場合、まとめて編集用スピーカ４３と称する。他の構成についても同様とする。
【００４６】
編集用操作パネル４１は、撮像装置６１（図２参照）により撮影された複数の撮影画像の中から、編集用に保存された画像（以下、編集対象画像と称する）を表示する。プレーヤは、編集用操作パネル４１に表示された編集対象画像に、落書きペン４２を利用して、落書き等の編集を施すことができる。面２４ａに臨み、プレーヤが編集を行う空間を編集空間と称する。なお、図１においては、図示を省略しているが、編集中の編集用操作パネル４１が外部から覗かれないように背面パネル２４の面２４ａと対向する位置に、カーテン９２（図３参照）が設置されている。
【００４７】
なお、図示は省略しているが、背面パネル２４と装置本体２１は、例えばケーブル等の有線、または無線LAN（Local Area Network）などの無線により接続されており、編集対象画像等が、本体２１から編集用操作パネル４１に送信される。また、編集用操作パネル４１に入力された落書きや、その他の操作に関する情報は、装置本体２１に送信され、装置本体２１から供給された音声信号に対応する音声が、編集用スピーカ４３から出力される。
【００４８】
図２は、装置本体２１の外観の構成例を示す斜視図である。
【００４９】
装置本体２１の、撮影空間２５側の面２１ａ（以下、正面とする）のほぼ中央には、撮影空間２５内のプレーヤを撮像する撮像装置６１が設けられており、プレーヤは、カメラ７１を好みの角度に調節し、撮影を行うことができる。撮像装置６１は、CCD(Charge Coupled Device)，CMOS（Complementary Mental Oxide Semiconductor）などの撮像素子からなる小型のカメラ７１、およびLCD（Liquid Crystal Display）などの表示装置からなる小型の取り込み画像表示部７２により構成されている。取り込み画像表示部７２は、カメラ７１の直近に配置され、カメラ７１により撮像された画像をリアルタイムに表示する。取り込み画像表示部７２を、カメラ７１の直近に設けることにより、プレーヤは、ほぼカメラ７１に視線を向けたまま、取り込み画像表示部７２の表示により、自らのポーズを確認することが可能となる。
【００５０】
撮像装置６１の下方には、LCDやCRT（Cathode  Ray  Tube）などよりなる撮影用モニタ６２が配置される。撮影用モニタ６２は、撮影空間２５での種々の処理に関する案内や、撮像装置６１により撮像された撮影画像等を表示する。撮影用モニタ６２の右方には、撮影空間２５での種々の処理に関する案内等の音声を出力する撮影用スピーカ６３が配置される。また、撮影用モニタ６２の下方には、撮影空間２５での種々の処理に関して、プレーヤから操作の入力を受け付ける撮影用操作パネル６４が配置されている。撮影用操作パネル６４上には、種々のボタン等が配置される。
【００５１】
また、装置本体２１の面２１ａの左右の端には、それぞれ照明装置６５−１および６５−２が配置されている。照明装置６５−１および６５−２は、通常、撮影空間２５内部を、所定の明るさになるように照らす。写真シール販売機１０は、撮像装置６１から所定のフレームレートで入力されている映像信号のうち、所定のタイミングで入力されたフレームを、撮影画像として保存するが、照明装置６５−１および６５−２は、撮影画像のフレームが撮像装置６１により取り込まれるタイミングで、閃光（フラッシュ）を発する。
【００５２】
次に、図３を参照して、写真シール販売機１０における、プレーヤの流れを説明する。図３は、写真シール販売機１０の俯瞰図である。装置本体２１の面２１ａの背面側にある面２１Ｃからコイン投入口３１が配置された面２１ｂの前方にかけて、点線で示された空間が、プレイ待ち空間１０２とされる。これから写真シール販売機１０を利用しようとする者は、先行して利用しているプレーヤが居た場合、このプレイ待ち空間１０２に並んで、自分が利用する順番がくるのを待つ。
【００５３】
まず、ステップＳ１において、写真シール販売機１０を利用しようとする者は、面２１ｂに設置されたコイン投入口３１から所定の金額の硬貨を投入する。硬貨を投入したプレーヤは、次に、ステップＳ２において、撮影空間２５に入り自らを撮影する。写真シール販売機１０は、複数枚の撮影画像を生成し、プレーヤは、生成された撮影画像の中から、所定の枚数の編集対象画像を選択する。次に、ステップＳ３において、プレーヤは、撮影空間２５から編集空間１０１に移動し、編集対象画像の編集を行う。
【００５４】
なお、図３に示されるように、背面パネル２４の面２４ａから編集用操作パネル４１の前方方向に、フレーム９１Lおよび９１Rが突き出ており、このフレーム９１Lおよび９１Rにカーテン９２が取り付けられている。カーテン９２は、天井パネル２２が配設された高さ位置から、床方向に垂れ下がっている。背面パネル２４とカーテン９２の間の空間が編集空間１０１である。
【００５５】
編集空間１０１での編集を終了したプレーヤは、ステップＳ４において、装置本体２１の面２１ｂに移動し、面２１ｂに設置されたシール取出し口３２から、編集済み画像が印刷されたシールシートを受取る。
【００５６】
以上のようにして、１回分の利用が終了する。
【００５７】
次に、図４を参照して、さらに複数のプレーヤの流れについて、説明する。
【００５８】
図４Ａにおいては、２つのプレーヤのグループが示されている。なお、プレーヤは、１人で、写真シール販売機１０を利用するとは限らず、複数の人数（グループ）で、一緒に利用することが多い。すなわち、図４Ａにおいては、Ａグループが、撮影空間２５で撮影を行い、Ｂグループが、プレイ待ち空間１０２で、撮影空間２５が空くまで待機している。Ａグループが撮影空間２５における処理を全て済ませると、Ａグループは、撮影空間２５から編集空間１０１に移動する。そして、撮影空間２５が空くので、Ｂグループが、撮影空間２５に入り、撮影空間での処理を開始する。図４Ｂは、このときの状態を表している。また、図４Ｂでは、さらにＣグループがプレイ待ち空間１０２に現れ、撮影空間２５が空くのを待機している。
【００５９】
このように、複数のグループ（プレーヤ）に対して、プレイ待ち空間１０２、撮影空間２５、および編集空間１０１で、それぞれ並列的に対応することにより、単位時間あたりに、より多くのプレーヤ（グループ）に、写真シール販売機１０を利用させることができる。従って、写真シール販売機１０のオーナは、より多くの収益を得ることができ、また、利用者側は、少ない待ち時間で、写真シール販売機１０を利用することが可能となる。
【００６０】
次に、図５は、写真シール販売機１０の構成を表すブロック図である。なお、図１乃至図４に対応する部分には、同一の符号を付してある。
【００６１】
制御装置２０１は、内部のROM（不図示）に記憶されたコンピュータプログラム、記憶装置２０３に記憶されているコンピュータプログラム、または、記憶装置２０３から内部のRAM（不図示）にロードされたプログラムに従って、写真シール販売機１０の全体の動作を制御する。制御装置２０１は、例えば、パーソナルコンピュータなどにより構成することができる。顧客応対処理部２７１は、制御装置２０１により実行されるコンピュータプログラムの１つである。
【００６２】
制御装置２０１には、撮影用操作パネル６４、編集用スピーカ４３−１および４３−２、撮影用スピーカ６３、照明装置６５−１および６５−２、撮影用モニタ６２、カメラ７１、および取り込み画像表示部７２が接続されている。
【００６３】
撮影用操作パネル６４は、プレーヤから入力された操作に対応する操作信号を制御装置２０１に通知する。
【００６４】
編集用スピーカ４３−１および４３−２、並びに撮影用スピーカ６３は、制御装置２０１から供給された音声信号に基づく音声を出力する。
【００６５】
照明装置６５−１および６５−２は、制御装置２０１からの指示に基づいて、撮影空間２５を、所定の明るさで照明するとともに、撮影画像が取得されるタイミングに合わせて、フラッシュ光を出射する。
【００６６】
撮影用モニタ６２は、制御装置２０１から供給された映像信号（RGB信号）に基づいて、映像を表示する。
【００６７】
カメラ７１は、制御装置２０１からの指示に基づいて、所定のフレームレートで、被写体を撮像し、生成された映像信号を、制御装置２０１に供給する。
【００６８】
取り込み画像表示部７２は、制御装置２０１から供給された映像信号（RGB信号）に基づいて、映像を表示する。なお、取り込み画像表示部７２には、カメラ７１により撮像された動画が、制御装置２０１からリアルタイムで転送されてくるので、取り込み画像表示部７２には、リアルタイムで撮像された映像が表示される。
【００６９】
制御装置２０１には、また、硬貨処理部２０２が接続されている。硬貨処理部２０２は、コイン投入口３１から投入された硬貨をカウントし、写真シール販売機１０の利用代金として予め設定されている所定の金額が投入されたと判定したとき、代金が支払われたことを示す支払い信号を制御装置２０１に通知する。
【００７０】
制御装置２０１には、ハードディスクなどにより構成される記憶装置２０３も接続されている。記憶装置２０３は、制御装置２０１が実行するコンピュータプログラムや、画像データ、音声データ等を含む種々のデータを記憶し、適宜、制御装置２０１から読み出される。また、記憶装置２０３は、撮像装置６１により撮影された撮影画像を、所定の枚数だけ記憶するとともに、複数の撮影画像の中から選択された編集対象画像を記憶する。さらに、記憶装置２０３は、編集済み画像をも記憶する。
【００７１】
制御装置２０１には、ドライブ２０４も接続されている。ドライブ２０４には、必要に応じて磁気ディスク２５１（フレキシブルディスクを含む）、光ディスク２５２（CD-ROM(Compact Disk-Read Only Memory),DVD(Digital Versatile Disk)を含む）、光磁気ディスク２５３（ＭＤ（Mini-Disk）を含む）、および、半導体メモリ２５４が装着され、それらから読み出されたコンピュータプログラムやデータが、必要に応じて、記憶装置２０３に保存される。
【００７２】
また、制御装置２０１には、編集用モニタ２３１−１および２３１−２、並びに透明なタッチパネル２３２−１および２３２−２も接続されている。編集用モニタ２３１−１およびタッチパネル２３２−１により編集用操作パネル４１−１が構成され、編集用モニタ２３１−２およびタッチパネル２３２−２により編集用操作パネル４１−２が構成されている。なお、図５においては、編集用モニタ２３１−１とタッチパネル２３２−１は、別々に示されているが、実際には、タッチパネル２３２−１は編集用モニタ２３１−１上に積層されている。同様に、タッチパネル２３２−２も編集用モニタ２３１−２上に積層されている。これにより、プレーヤは、編集用モニタ２３１に表示された編集対象画像上に、落書きペン４２を利用して、落書きしたり、スタンプを貼り付けたりすることができる。すなわち、落書きペン４２による入力は、タッチパネル２３２により検出され、検出信号が制御装置２０１に送信される。制御装置２０１では、受信した検出信号に基づいて、プレーヤからの操作の内容を特定し、対応する処理（例えば、編集対象画像上に落書き（スタンプ等を含む）を合成する処理）を行い、処理の結果を編集用モニタ２３１の表示等に反映させる。
【００７３】
制御装置２０１には、プリンタ２０６も接続されている。プリンタ２０６は、シール紙ユニット２０７に予め保存してあるシールシート２１１上に、編集済み画像を印刷する。なお、シールシート２１１は、例えばロール状に巻かれた状態で、シール紙ユニット２０７内に収められており、プリンタ２０６は、このロール状に巻かれたシールシート２１１から必要な長さ分だけシートを引き出し、編集済み画像を印刷する。プリンタ２０６は、編集済み画像が印刷された部分のシールシート２１１をロールから切り離し、シール取出し口３２に排出し、プレーヤに提供する。
【００７４】
IDタグリーダ／ライタ２０５は、シール紙ユニット２０７に付されているIDタグ２１２に記憶されている識別情報を接触、または非接触により読み出し、制御装置２０１に通知する。制御装置２０１は、IDタグリーダ／ライタ２０５から通知された識別情報に基づいて、装着されているシール紙ユニット２０７が、写真シール販売機１０において利用可能なユニットであるか否かを判定し、利用可能なユニットであると判定したときのみ、プレーヤの利用を受け付け可能にする。制御装置２０１は、写真シール販売機１０において利用可能とされるシール紙ユニットの識別情報を管理している。
【００７５】
これにより、写真シール販売機１０に対応していない（純正のものでない）シールシートが利用されるのを抑制することができる。また、IDタグ２１２により、シールシート２１１の残量等も管理される。なお、シール紙ユニット２０７が純正のものであるか否かを、シール紙ユニット２０７にプリントされているバーコード、シールシートとセットで利用されるICカードなどにより確認させるようにしてもよいし、あるいは、シール紙ユニットの寸法、形状などにより、機械的に装填不可とすることで確認させるようにしてもよい。
【００７６】
シール紙ユニット２０７は、写真シール販売機１０から着脱可能になっており、内部にシールシート２１１を装填し、また、IDタグリーダ／ライタ２０５がIDを読み取り可能な所定の位置に、IDタグ２１２が付されている。IDタグ２１２は、例えば、IC（Integrated Circuit）タグ（制御タグ）、ICカードのメモリにより構成され、識別情報としての固有のIDを記憶する。すなわち、シール紙ユニット２０７に付されているIDタグ２１２には、個々のシール紙ユニット２０７を識別する識別情報等を管理するIDが書き込まれている。なお、IDタグ２１２は、シールシート２１１と一体にし、分離不可とするようにしてもよい。
【００７７】
次に、図６のフローチャートを参照して、写真シール販売機１０の顧客応対処理について説明する。
【００７８】
ステップＳ１０１において、顧客応対処理部２７１は、デモンストレーション用の画面（以下、デモ画面と称する）の映像信号を撮影用モニタ６２に出力し、表示させる。デモ画面としては、例えば、写真シール販売機１０の特徴（宣伝、売り文句）等が表示される。
【００７９】
ステップＳ１０２において、顧客応対処理部２７１は、硬貨処理部２０２からの支払い信号の有無に基づいて、所定の金額の代金が投入されたか否かを判定し、支払い信号が通知されていない場合、すなわち、所定の金額の代金が投入されていない場合、処理はステップＳ１０１に戻り、ステップＳ１０１以降の処理をくり返す。ステップＳ１０２において、顧客応対処理部２７１が、支払い信号の通知を受信したと判定した場合、すなわち、所定の金額の代金が投入された場合、処理はステップＳ１０３に進む。なお、コイン投入口３１から硬貨を投入したプレーヤは、撮影空間２５に移動する。
【００８０】
ステップＳ１０３において、顧客応対処理部２７１は、撮影処理を実行し、プレーヤを撮影して、所定枚数の撮影画像を生成する。ステップＳ１０３の処理の詳細な説明は後述する。
【００８１】
ステップＳ１０３の処理の後、ステップＳ１０４において、顧客応対処理部２７１は、撮影後処理を実行する。撮影後処理には、例えば、複数枚の撮影画像から、所定枚数の編集対象画像の選択を受け付ける処理が含まれている。撮影後処理の詳細な説明は後述する。撮影後処理の後、プレーヤは、撮影空間２５から編集空間１０１に移動する。
【００８２】
このとき、プレイ待ち空間１０２で、順番を待つ後続のプレーヤ（グループ）は、撮影空間２５での処理を終えたプレーヤ（グループ）と入れ替わりに、撮影空間２５に入室し、撮影処理を開始することができる。
【００８３】
ステップＳ１０５において、顧客応対処理部２７１は、編集処理を実行し、編集対象画像に対する、プレーヤからの編集を受け付ける。ステップＳ１０５の編集処理の詳細な説明は後述する。ステップＳ１０５の処理の後、処理はステップＳ１０６に進む。なお、ステップＳ１０５の処理が終了すると、プレーヤは、編集空間１０１から退場し、シール取出し口３２の前に移動する。従って、撮影空間２５に居る後続のプレーヤは、撮影空間２５から編集空間１０１に移動して、編集処理を開始することができる。
【００８４】
ステップＳ１０５の処理により生成された編集済み画像は、一旦、記憶装置２０３に記憶されている。そこで、ステップＳ１０６において、顧客応対処理部２７１は、記憶装置２０３から編集済み画像を読み出し、読み出された編集済み画像を、プレーヤにより指定された分割数に対応する配列で並べて、印刷用画像を生成する。そして、顧客応対処理部２７１は、この印刷用画像をプリンタ２０６に供給する。プリンタ２０６は、供給された印刷用画像を、シールシート２１１に印刷し、シール取出し口３２から排出する。プレーヤは、シール取出し口３２に排出されたシールシート２１１を手にすることができる。
【００８５】
以上のようにして、写真シール販売機１０の顧客応対処理が実行される。なお、以上の説明は、１プレーヤ（１グループ）に対する処理の流れを説明したものであり、実際には、写真シール販売機１０は、撮影空間２５における処理（ステップＳ１０３の撮影処理およびステップＳ１０４の撮影後処理）、編集空間１０１における処理（ステップＳ１０５の編集処理）、並びにステップＳ１０６の印刷処理を、並列に実行することができる。これにより、写真シール販売機１０は、複数のプレーヤ（グループ）に対する顧客応対処理を同時並行に行うことが可能となる。
【００８６】
次に、図７のフローチャートを参照して、図７のステップＳ１０３の撮影処理の例について、詳細に説明する。
【００８７】
ステップＳ１２１において、顧客応対処理部２７１は、撮影用モニタ６２に、ライブビュー、撮影残り時間表示、および撮影ボタンの操作を指示する案内表示を表示する。図８は、撮影用モニタ６２の表示例を表している。
【００８８】
図８において、撮影用モニタ６２の中央には、ライブビュー表示欄３０１に撮像装置６１により撮像されている動画が、リアルタイムで表示されている。また、撮影用モニタ６２の左方には、撮影処理の残り時間である撮影残り時間３０２が表示されている。図８の例においては、撮影処理の残り時間として「残り１００秒」が表示されている。また、ライブビュー表示欄３０１の上方には、プレーヤに、撮影ボタンを押すように指示する案内３０３「撮影ボタンを押してね」が表示されている。
【００８９】
なお、ステップＳ１２１乃至ステップＳ１３２の処理の間、取り込み画像表示部７２には、カメラ７１により撮像された映像がリアルタイムで表示される。
【００９０】
ステップＳ１２２において、顧客応対処理部２７１は、撮影経過時間のカウントを開始する。なお、顧客応対処理部２７１は、撮影経過時間のカウントにあわせて、撮影用モニタ６２に表示された撮影残り時間３０２をカウントダウンする。すなわち、撮影処理の制限時間（以下、撮影設定時間と称する）が、例えば、１００秒であるとした場合、撮影経過時間が１秒、２秒、３秒とカウントされてゆくのに従って、撮影用モニタ６２上の撮影残り時間３０２の表示は、「残り９９秒」、「残り９８秒」、「残り９７秒」のように、カウントダウンしてゆく。プレーヤは、この表示により、撮影を行える残り時間を把握することができる。
【００９１】
ステップＳ１２２の処理の後、ステップＳ１２３において、顧客応対処理部２７１は、撮影ボタンが操作されたか否かを判定する。すなわち、撮影用操作パネル６４上には、複数のボタン類とともに撮影ボタンが設けられており、撮影ボタンが操作された場合、撮影用操作パネル６４は、撮影ボタンが操作されたことを示す操作信号を制御装置２０１に通知する。従って、顧客応対処理部２７１は、この操作信号の有無に基づいて、撮影ボタンが操作されたか否かを判定し、撮影ボタンが操作されていない場合、処理はステップＳ１２４に進む。
【００９２】
ステップＳ１２４において、顧客応対処理部２７１は、撮影経過時間が、撮影開始限度時間より大きい値になったか否かを判定する。すなわち、プレーヤがいつまでも撮影ボタンを操作しない場合、１枚も撮影画像を生成せずに、撮影設定時間が終了してしまうことを防ぐ必要がある。そこで、プレーヤが撮影ボタンを操作しなくても、勝手に撮影を開始する撮影開始限度時間が予め設定されている。そこで、顧客応対処理部２７１は、撮影経過時間が、撮影開始限度時間より大きい値になったか否かを判定し、撮影経過時間が、撮影開始限度時間より大きい値になってはいないと判定した場合、処理はステップＳ１２３に戻り、ステップＳ１２３以降の処理をくり返す。
【００９３】
このようにして、撮影ボタンが操作されず、かつ、撮影経過時間が撮影開始限度時間以下である場合、ステップＳ１２３およびステップＳ１２４の処理がくり返されるが、ステップＳ１２３において、顧客応対処理部２７１が、撮影ボタンが操作されたと判定した場合、処理はステップＳ１２５に進む。
【００９４】
ステップＳ１２５において、顧客応対処理部２７１は、撮影用モニタ６２に、カウントダウンインジケータを表示し、撮影画像の生成を行う。すなわち、顧客応対処理部２７１は、撮影用モニタ６２に、図９に示されるような画面を表示する。
【００９５】
図９において、中央には、図８と同様、ライブビュー表示欄３０１に、撮像装置６１により撮像されている動画がリアルタイムに表示され、左上方には、撮影残り時間３０２が表示されている。また、図９においては、ライブビュー表示欄３０１の下方にカウントダウンインジケータ３１１が表示されている。カウンタダウンインジケータ３１１は、例えば、左側の信号から順に点灯が開始され、１番右側の信号が点灯されたとき、案内３１２「はい、ポーズ！」が表示される。顧客応対処理部２７１は、この案内３１２が表示されるのと同時に、照明装置６５を制御して、フラッシュを被写体に照射するとともに、その瞬間にカメラ７１により撮像されたフレーム（映像信号）を、撮影画像として記憶装置２０３に記憶させる。
【００９６】
ステップＳ１２５の処理の後、ステップＳ１２６において、顧客応対処理部２７１は、撮影用モニタ６２に、ステップＳ１２５で生成された撮影画像を、所定の時間（例えば、３秒間）だけ表示させる。
【００９７】
その後、ステップＳ１２７において、顧客応対処理部２７１は、撮影経過時間が、撮影設定時間より大きい値になったか否かを判定し、撮影経過時間が撮影設定時間より大きい値になっていない（撮影経過時間が撮影設定時間以下であった）場合、処理はステップＳ１２８に進む。
【００９８】
ステップＳ１２８において、顧客応対処理部２７１は、撮影用モニタ６２に再度、図８のように、撮影ボタンを操作する指示の案内３０３を表示させる。
【００９９】
ステップＳ１２８の後、ステップＳ１２９において、顧客応対処理部２７１は、撮影ボタンが操作されたか否かを判定し、撮影ボタンが操作されていない場合、処理はステップＳ１３０に進む。ステップＳ１３０において、顧客応対処理部２７１は、撮影経過時間が撮影設定時間より大きい値になったか否かを判定し、撮影経過時間が撮影設定時間より大きい値になっていない（撮影経過時間が撮影設定時間以下であった）場合、処理はステップＳ１２９に戻り、ステップＳ１２９以降の処理がくり返される。
【０１００】
このようにして、撮影ボタンが操作されず、かつ、撮影経過時間が撮影設定時間以下である場合、ステップＳ１２９およびステップＳ１０３の処理がくり返されるが、ステップＳ１２９において、撮影ボタンが操作されたと判定された場合、処理はステップＳ１２５に戻り、上述したステップＳ１２５以降の処理がくり返される。このようにして、ステップＳ１２５乃至ステップＳ１３０の処理をくり返すことにより、複数枚の撮影画像を取得することができる。
【０１０１】
ステップＳ１３０において、顧客応対処理部２７１が、撮影経過時間は撮影設定時間より大きい値であると判定した場合、撮影処理が終了し、処理は図６のステップＳ１０４に進む。
【０１０２】
ステップＳ１２４に戻って、顧客応対処理部２７１が、撮影経過時間が撮影開始限度時間より大きい値であると判定した場合、処理はステップＳ１３１に進む。
【０１０３】
ステップＳ１３１において、顧客応対処理部２７１は、図９のように、カウントダウンインジケータ３１１を表示し、撮影画像を生成する。すなわち、カウンタダウンインジケータ３１１は、例えば、左側の信号から順に点灯が開始され、１番右側の信号が点灯されたとき、案内３１２「はい、ポーズ！」が表示される。顧客応対処理部２７１は、この案内３１２が表示されるのと同時に、照明装置６５を制御して、フラッシュを被写体に照射するとともに、その瞬間にカメラ７１により撮像されたフレーム（映像信号）を、撮影画像として記憶装置２０３に記憶させる。
【０１０４】
ステップＳ１３１の処理の後、ステップＳ１３２において、顧客応対処理部２７１は、撮影用モニタ６２に、ステップＳ１３１で生成された撮影画像を、所定の時間（例えば、３秒間）だけ表示させる。
【０１０５】
このように、撮影経過時間が撮影開始限度時間より大きい値になった場合、プレーヤから撮影ボタンが操作されなくても、撮影画像を生成することにより、少なくとも、編集するための撮影画像を１枚保持することができる。
【０１０６】
ステップＳ１３２の処理の後、撮影処理が終了し、処理は図６のステップＳ１０４に進む。
【０１０７】
以上のようにして、撮影処理が実行される。
【０１０８】
次に、図１０のフローチャートを参照して、図６のステップＳ１０４の撮影後処理の例について説明する。
【０１０９】
ステップＳ１５１において、顧客応対処理部２７１は、撮影用モニタ６２に、撮影後処理残り時間、および、編集対象画像選択画面を表示し、編集対象画像の選択の受け付けを開始する。
【０１１０】
図１１は、撮影用モニタ６２に表示される編集対象画像選択画面４０１の例を表している。
【０１１１】
図１１において、編集対象画像選択画面４０１の左上方には、撮影後処理残り時間４０２が表示されている。また、編集対象画像選択画面４０１の中央には、撮影処理により生成された撮影画像４０３−１乃至４０３−８が一覧表示されている。なお、図１１においては、撮影画像４０３−１乃至４０３−８の合計８枚の撮影画像が表示されているが、撮影画像の枚数は、８枚に限定されるものではなく、撮影処理により撮影された枚数に応じて、表示される枚数も異なるものとなる。また、図１１においては、撮影画像４０３−１乃至４０３−８は、空白の長方形として描かれているが、実際には、被写体を撮影した撮影画像が表示されている。
【０１１２】
図１１において、撮影画像４０３−２の周囲には、カーソル４０４−１が表示されている。同様に、撮影画像４０３−４、４０３−５、および４０３−７の周囲にも、それぞれカーソル４０３−４、４０３−５、および４０３−７が表示されている。このカーソル４０４は、プレーヤにより選択された撮影画像４０３に対してのみ表示される。プレーヤは、撮影用操作パネル６４を操作して、カーソル４０４の表示位置を移動させることができ、カーソル４０４を移動させることにより、編集対象画像として残す画像を選択することができる。すなわち、図１１の例の場合、カーソル４０４により囲まれた撮影画像４０３−２，４０３−４，４０３−５，４０３−７の４枚が、編集対象画像として選択されている。
【０１１３】
また、編集対象画像選択画面４０１の下方には、取り消しボタン４０５および画像保存ボタン４０６も表示されている。プレーヤは、撮影用操作パネル６４を操作して、取り消しボタン４０５および画像保存ボタン４０６を選択することができる。取り消しボタン４０５が操作された場合、それまで表示されていたカーソル４０４が全て消去され、プレーヤは、初めから画像の選択をやり直すことができる。また、画像保存ボタン４０６が操作された場合、そのときにカーソル４０４で囲まれていた撮影画像４０３が、編集対象画像として選択される。
【０１１４】
なお、顧客応対処理部２７１は、記憶装置２０３に記憶された全撮影画像を読み出し、図１１の編集対象画像選択画面４０１を表示する。
【０１１５】
ステップＳ１５１の後、ステップＳ１５２において、顧客応対処理部２７１は、撮影後処理経過時間のカウントを開始する。なお、顧客応対処理部２７１は、撮影後処理経過時間のカウントにあわせて、撮影用モニタ６２に表示された撮影後処理残り時間４０２をカウントダウンする。すなわち、撮影後処理の制限時間（以下、撮影後処理設定時間と称する）が、例えば、４０秒であるとした場合、撮影後処理経過時間が１秒、２秒、３秒とカウントされてゆくのに従って、撮影用モニタ６２上の撮影後処理残り時間４０２の表示は、「残り３９秒」、「残り３８秒」、「残り３７秒」のように、カウントダウンしてゆく。プレーヤは、この表示により、撮影後処理を行える残り時間を把握することができる。
【０１１６】
ステップＳ１５２の後、ステップＳ１５３において、顧客応対処理部２７１は、撮影用操作パネル６４からの操作信号に基づいて、画像保存ボタン４０６が操作されたか否かを判定し、画像保存ボタン４０６が操作されていない場合、処理はステップＳ１５４に進む。
【０１１７】
ステップＳ１５４において、顧客応対処理部２７１は、撮影後処理経過時間が、撮影後処理設定時間より大きい値になったか否かを判定する。すなわち、プレーヤがいつまでも画像保存ボタン４０６を操作しない場合、１枚も編集対象画像を選択せずに、撮影後処理設定時間が終了してしまうことを防ぐ必要がある。そこで、プレーヤが画像保存ボタン４０６を操作しなくても、勝手に編集対象画像を選択する必要がある。そこで、顧客応対処理部２７１は、撮影後処理経過時間が、撮影後処理設定時間より大きい値になったか否かを判定し、撮影後処理経過時間が、撮影後処理設定時間より大きい値になってはいないと判定した場合、処理はステップＳ１５３に戻り、ステップＳ１５３以降の処理をくり返す。
【０１１８】
このようにして、画像保存ボタン４０６が操作されず、かつ、撮影後処理経過時間が撮影後処理設定時間以下である場合、ステップＳ１５３およびステップＳ１５４の処理がくり返されるが、ステップＳ１５３において、顧客応対処理部２７１が、画像保存ボタン４０６が操作されたと判定した場合、処理はステップＳ１５５に進む。
【０１１９】
ステップＳ１５５において、顧客応対処理部２７１は、カーソル４０４により囲まれた撮影画像４０３を、編集対象画像として決定し、記憶装置２０３に、編集対象画像として記憶させる。ここで編集対象画像として選択されなかった撮影画像は、記憶装置２０３から削除される。図１１の例の場合、顧客応対処理部２７１は、撮影画像４０３−２、４０３−４、４０３−５、および４０３−７を、編集対象画像として決定する。
【０１２０】
ステップＳ１５６において、顧客応対処理部２７１は、撮影用モニタ６２に、シールシートの分割数選択画面を表示し、分割数の選択の受け付けを開始する。写真シール販売機１０においては、編集済み画像が、所定の大きさ、および配列で１以上並べられてシールシートに印刷される。記憶装置２０３には、シールシートに印刷する編集済み画像の配置パターンが、複数種類、予め記憶されている。
【０１２１】
図１２は、分割数選択画面４１１の例を表している。図１２の分割数選択画面４１２においては、左上方に、図１１と同様の撮影後処理残り時間４０２が表示されている。また、「分割数を選択してね。」のメッセージが表示されており、プレーヤは、撮影用操作パネル６４を操作することにより、カーソル４１２を移動させて、好みの分割数の配置パターンを選択することができる。なお、プレーヤは、１枚のシールシート上に様々な大きさの編集済み画像を配置する「混合分割」、１枚のシールシート上に、それぞれが等しい大きさの３２個の編集済み画像を配置する「３２分割」、１枚のシールシート上に、それぞれが等しい大きさの２５個の編集済み画像を配置する「２５分割」、および１枚のシールシート上に、それぞれが等しい大きさの９個の編集済み画像を配置する「９分割」のうちから、好みの分割数の配置パターンを選択することができる。なお、さらに、複数のパターンからシールシートを選択できる場合、図に示すように、画面の左右に矢印でそれが示される。
【０１２２】
ステップＳ１５７において、顧客応対処理部２７１は、分割数決定ボタンが操作されたか否かを判定する。すなわち、撮影用操作パネル６４上には、複数のボタン類とともに、分割数を決定するときに操作される分割数決定ボタンが配置されており、分割数決定ボタンが操作された場合、それを示す操作信号が制御装置２０１に通知される。そこで、顧客応対処理部２７１は、撮影用操作パネル６４からの操作信号に基づいて、分割数決定ボタンが操作されたか否かを判定し、分割数決定ボタンが操作されていない場合、処理はステップＳ１５８に進む。
【０１２３】
ステップＳ１５８において、顧客応対処理部２７１は、撮影後処理経過時間が、撮影後処理設定時間より大きい値になったか否かを判定する。すなわち、プレーヤがいつまでも分割数決定ボタンを操作しない場合、分割数が選択されずに、撮影後処理設定時間が終了してしまうことを防ぐ必要がある。そこで、プレーヤが分割数決定ボタンを操作しなくても、撮影後処理設定時間が終了したら、勝手に分割数を決定する必要がある。そこで、顧客応対処理部２７１は、撮影後処理経過時間が、撮影後処理設定時間より大きい値になったか否かを判定し、撮影後処理経過時間が、撮影後処理設定時間より大きい値になってはいないと判定した場合、処理はステップＳ１５７に戻り、ステップＳ１５７以降の処理をくり返す。
【０１２４】
このようにして、分割数決定ボタンが操作されず、かつ、撮影後処理経過時間が撮影後処理設定時間以下である場合、ステップＳ１５７およびステップＳ１５８の処理がくり返されるが、ステップＳ１５７において、顧客応対処理部２７１が、分割数決定ボタンが操作されたと判定した場合、処理はステップＳ１５９に進む。
【０１２５】
ステップＳ１５９において、顧客応対処理部２７１は、図１２でカーソル４１２で選択されていた分割数を、シールシートに印刷する編集済み画像の配置パターンとして決定する。その後、処理はステップＳ１６２に進む。
【０１２６】
ステップＳ１５８において、顧客応対処理部２７１が、撮影後処理経過時間は、撮影後処理設定時間より大きい値になったと判定した場合、処理はステップＳ１６０に進む。
【０１２７】
ステップＳ１６０において、顧客応対処理部２７１は、その瞬間カーソル４１２で囲まれていた分割数を、シールシートに印刷する編集済み画像の配置パターンとして決定する。その後、処理はステップＳ１６２に進む。
【０１２８】
ステップＳ１５４に戻って、顧客応対処理部２７１が、撮影後処理経過時間は撮影後処理設定時間より大きい値であると判定した場合、処理はステップＳ１６１に進む。
【０１２９】
ステップＳ１６１において、顧客応対処理部２７１は、撮影画像４０３−１乃至４０３−８の中から、編集対象画像を、所定の枚数分だけ、自動で決定し、記憶装置２０３に記憶させるとともに、分割数を、予め設定されているデフォルトの分割数に決定する。その後、処理はステップＳ１６２に進む。
【０１３０】
ステップＳ１６２において、顧客応対処理部２７１は、撮影用モニタ６２に、「←編集空間に移動して、落書きしてね」のような、プレーヤを編集空間１０１に誘導する案内を表示する。プレーヤは、この案内に従って、撮影空間２５から外部に退室し、編集空間１０１に入室する。
【０１３１】
以上のようにして、撮影後処理が実行される。
【０１３２】
次に、図１３のフローチャートを参照して、図６のステップＳ１０５の編集処理の例について詳細に説明する。
【０１３３】
ステップＳ１７１において、顧客応対処理部２７１は、編集用モニタ２３１−１および２３１−２に、編集残り時間を含む編集画面を表示し、プレーヤからの編集の受け付けを開始する。以降、後述するステップＳ１８３の処理により編集の受け付けが終了されるまで、顧客応対処理部２７１は、編集の受け付けを継続する。
【０１３４】
図１４は、編集用モニタ２３１に表示される編集画面の例を表している。
【０１３５】
図１４の編集画面４５１において、右上方には、サムネイル４５２−１乃至４５２−４が表示されている。サムネイル４５２−１乃至４５２−４は、撮影後処理で選択された編集対象画像を、縮小した画像である。プレーヤは、落書きペン４２を操作して、サムネイル４５２−１乃至４５２−４の中から、所望するサムネイルにタッチして、選択することができ、選択されたサムネイルに対応する編集対象画像４５６が画面中央に表示される。プレーヤは、画面中央に表示された編集対象画像４５６に対して、落書きペン４２により、線分やスタンプ等を書き込むことができる。なお、プレーヤは、落書きする編集対象画像を変更したい場合、落書きペン４２を操作して、所望するサムネイル４５２をタッチすることにより、画面中央に表示させる編集対象画像を変更することができる。
【０１３６】
編集対象画像４５６の下方には、背景ブラシボタン４５７、スタンプボタン４５８、およびペンボタン４５９が表示されている。背景ブラシボタン４５７は、編集対象画像４５６の背景に落書き等を書き込みたいとき、操作される。すなわち、編集対象画像４５６は、クロマキー処理により、背景に、プレーヤが所望する画像を合成することができ、背景ブラシボタン４５７が、落書きペン４２によりタッチされた場合、背景に画像を入力するためのツールが表示される。プレーヤは、表示されたツールを利用して、背景に画像を書き込むことができる。
【０１３７】
スタンプボタン４５８は、編集対象画像４５６に、所定の模様のスタンプを合成したいとき、操作される。すなわち、スタンプボタン４５８が、落書きペン４２によりタッチされた場合、図１４に示されるように、スタンプ４５４−１乃至４５４−６が一覧表示される。プレーヤは、落書きペン４２で所望のスタンプにタッチした後、落書きペン４２で、編集対象画像４５６上の、スタンプを合成したい場所をタッチすることにより、落書きペン４２がタッチした位置に、スタンプを合成することができる。スタンプ４５４−１乃至４５４−６の右側には、スクロールバー４５５が表示されており、プレーヤは、落書きペン４２でスクロールバー４５５を上下にスライドさせることにより、一度に表示しきれないスタンプを表示させることができる。
【０１３８】
ペンボタン４５９は、編集対象画像４５６に、線分を合成したいとき、操作される。すなわち、ペンボタン４５９が、落書きペン４２によりタッチされた場合、ペンの太さや色等を選択するためのツールが表示される。プレーヤは、所望の色や太さを選択して、編集対象画像４５６上に、線分を書き込むことができる。
【０１３９】
顧客応対処理部２７１は、プレーヤにより入力された上記のような操作に応じて、編集対象画像４５６の背景に画像を合成したり、編集対象画像４５６上にスタンプや線分を合成する画像処理を実行し、合成された編集対象画像４５６をリアルタイムで、編集用モニタ２３１の表示に反映させる。
【０１４０】
図１４において、編集画面４５１の左上方には、編集の受け付けの残り時間を示す編集残り時間４５３が表示される。図１４においては、編集残り時間４５３は、「残り１８０秒」と表示されている。
【０１４１】
編集画面４５１の右下方には、編集終了ボタン４６０およびクリアボタン４６１が表示されている。プレーヤは、落書きペン４２で編集終了ボタン４６０にタッチすることにより、編集残り時間が、０秒になる前でも、編集を終了することができる。また、プレーヤは、落書きペン４２でクリアボタン４６１にタッチすることにより、編集対象画像４５６に合成した落書き（スタンプや線分を含む）を消去することができる。
【０１４２】
ステップＳ１７２において、顧客応対処理部２７１は、標準編集経過時間のカウントを開始する。すなわち、写真シール販売機１０においては、編集の受け付けのために最低限確保すべき時間（以下、標準編集設定時間と称する）が設定されており、プレーヤは、少なくとも標準編集設定時間だけ、編集対象画像に編集を行うことができるが、所定の条件を満たす場合、さらに延長して、編集を行うことができる。標準編集経過時間は、標準編集設定時間に達するまでカウントされる経過時間のことである。
【０１４３】
なお、顧客応対処理部２７１は、標準編集経過時間のカウントにあわせて、編集用モニタ２３１に表示された編集残り時間４５３をカウントダウンする。すなわち、標準編集設定時間が、例えば、１８０秒であるとした場合、標準編集経過時間が１秒、２秒、３秒とカウントされてゆくのに従って、編集用モニタ２３１上の編集残り時間４５３の表示は、「残り１７９秒」、「残り１７８秒」、「残り１７７秒」のように、カウントダウンしてゆく。プレーヤは、この表示により、編集を行える残り時間を把握することができる。
【０１４４】
ステップＳ１７３において、顧客応対処理部２７１は、標準編集経過時間が標準編集設定時間より大きい値であるか否かを判定し、標準編集経過時間が標準編集設定時間より大きい値ではない（標準編集経過時間が標準編集設定時間以下である）場合、処理はステップＳ１７４に進む。
【０１４５】
ステップＳ１７４において、顧客応対処理部２７１は、編集終了ボタン４６０が落書きペン４２でタッチされたか否かを判定し、編集終了ボタン４６０が落書きペン４２でタッチされていない場合、処理はステップＳ１７３に戻り、ステップＳ１７３以降の処理をくり返す。
【０１４６】
このようにして、編集終了ボタン４６０が操作されず、かつ、標準編集経過時間が標準編集設定時間以下である場合、ステップＳ１７３およびステップＳ１７４の処理がくり返されるが、ステップＳ１７３において、顧客応対処理部２７１が、標準編集経過時間が標準編集設定時間より大きい値であると判定した場合、処理はステップＳ１７５に進む。また、ステップＳ１７４において、顧客応対処理部２７１が編集終了ボタン４６０が落書きペン４２によりタッチされたと判定した場合、処理は後述するステップＳ１８３に進む。
【０１４７】
ステップＳ１７５において、顧客応対処理部２７１は、上記したステップＳ１７１乃至ステップＳ１７４の処理の実行中に、硬貨処理部２０２から、支払い信号が通知されていたか否かを判定し、ステップＳ１７１乃至ステップＳ１７４の処理の実行中に、硬貨処理部２０２から、支払い信号が通知されていた場合、すなわち、後続のプレーヤがいた場合、処理は後述するステップＳ１８３に進む。ステップＳ１７５において、顧客応対処理部２７１が、ステップＳ１７１乃至ステップＳ１７４の処理の実行中に、硬貨処理部２０２から、支払い信号が通知されていないと判定した場合、すなわち、後続のプレーヤがいない場合、処理はステップＳ１７６に進む。
【０１４８】
ステップＳ１７６において、顧客応対処理部２７１は、編集用モニタ２３１への編集残り時間４５３の表示を終了し、サービス時間中であることを示すメッセージを表示する。
【０１４９】
図１５は、ステップＳ１７６で編集用モニタ２３１に表示される画面の例を表している。図１５においては、図１４で表示されていた編集残り時間４５３が消去され、サービス時間中であることを示す案内４８１「サービス時間中だよ！」が表示されている。プレーヤは、この案内４８１により、サービス時間中である（編集時間が延長されている）ことを知ることができる。
【０１５０】
ステップＳ１７６の後、ステップＳ１７７において、顧客応対処理部２７１は、硬貨処理部２０２からの支払い信号の有無に基づいて、コイン投入口３１から所定の金額の硬貨が投入されたか否かを判定し、硬貨処理部２０２から支払い信号が通知されていない場合（コイン投入口３１から所定の金額の硬貨が投入されていない場合）、処理はステップＳ１７８に進む。
【０１５１】
ステップＳ１７８において、顧客応対処理部２７１は、編集終了ボタン４６０が落書きペン４２でタッチされたか否かを判定し、編集終了ボタン４６０が落書きペン４２でタッチされていない場合、処理はステップＳ１７７に戻り、ステップＳ１７７以降の処理をくり返す。
【０１５２】
このようにして、編集終了ボタン４６０が操作されず、かつ、コイン投入口３１から所定の金額の硬貨が投入されていない場合、ステップＳ１７７およびステップＳ１７８の処理がくり返されるが、ステップＳ１７７において、顧客応対処理部２７１が、コイン投入口３１から所定の金額の硬貨が投入されたと判定した場合、処理はステップＳ１７９に進む。また、ステップＳ１７８において、顧客応対処理部２７１が編集終了ボタン４６０が落書きペン４２によりタッチされたと判定した場合、処理は後述するステップＳ１８３に進む。
【０１５３】
ステップＳ１７９において、顧客応対処理部２７１は、編集残り時間を表示する。
【０１５４】
図１６は、ステップＳ１７９において編集用モニタ２３１に表示される画面の例を表している。図１６においては、図１５において表示されていた、サービス時間であることを示す案内４９１が消去され、代わりに、編集残り時間の案内４９１「６０秒後  サービスは終了するよ！」が表示されている。
【０１５５】
ステップＳ１８０において、顧客応対処理部２７１は、サービス編集経過時間のカウントを開始する。なお、サービス編集経過時間が、１秒、２秒、３秒のようにカウントされるのに従って、編集残り時間の案内４９１の表示は、「５９秒後  サービスは終了するよ！」、「５８秒後  サービスは終了するよ！」、「５７秒後  サービスは終了するよ！」のようにカウントダウンしてゆく。プレーヤは、この案内４９１の表示により、編集することができる残り時間を把握することができる。
【０１５６】
写真シール販売機１０には、サービス編集設定時間として、所定の時間が設定されており、ステップＳ１８１において、顧客応対処理部２７１は、サービス編集経過時間が、設定されたサービス編集設定時間より大きい値であるか否かを判定し、サービス編集経過時間がサービス編集設定時間より大きくない場合、処理はステップＳ１８２に進む。
【０１５７】
ステップＳ１８２において、顧客応対処理部２７１は、編集終了ボタン４６０が落書きペン４２でタッチされたか否かを判定し、編集終了ボタン４６０が落書きペン４２でタッチされていない場合、処理はステップＳ１８１に戻り、ステップＳ１８１以降の処理をくり返す。
【０１５８】
このようにして、編集終了ボタン４６０が操作されず、かつ、サービス編集経過時間がサービス編集設定時間以下の場合、ステップＳ１８１およびステップＳ１８２の処理がくり返されるが、ステップＳ１８１において、顧客応対処理部２７１が、サービス編集経過時間がサービス編集設定時間より大きい値であると判定した場合、処理はステップＳ１８３に進む。また、ステップＳ１７８において、顧客応対処理部２７１が編集終了ボタン４６０が落書きペン４２によりタッチされたと判定した場合、処理は後述するステップＳ１８３に進む。
【０１５９】
ステップＳ１８３において、顧客応対処理部２７１は、落書きペン４２による編集対象画像４５６への編集の入力の受け付けを終了する。なお、顧客応対処理部２７１は、以上の処理により落書きが合成された編集対象画像を、編集済み画像として記憶装置２０３に記憶させる。
【０１６０】
ステップＳ１８４において、顧客応対処理部２７１は、編集用モニタ２３１に、プレーヤを編集空間１０１から、シール取出し口３２の前に移動するように誘導する案内を表示する。プレーヤは、この案内に従って、編集空間１０１から退室し、シール取出し口３２の前の空間に移動する。
【０１６１】
以上のようにして編集処理が実行される。編集処理が終了した後、処理は図６のステップＳ１０６に進む。
【０１６２】
以上のような処理の結果、例えば、図１７Ａに示されるように、時刻ｔ１から時刻ｔ２までの標準編集設定時間Ｔ１が経過する前の、時刻ｔ１１のタイミングで、次のプレーヤの代金の投入が検出された場合、編集処理の時間は延長されない。しかしながら、図１７Ｂに示されるように、標準編集設定時間Ｔ１が経過するまでの間に代金の投入が検出されなければ、時刻ｔ２１において、次のプレーヤの代金投入が検出されるまで、編集処理の制限時間のカウントは停止し、時刻ｔ２１において、次のプレーヤの代金投入が検出された場合、サービス編集設定時間Ｔ２だけ、さらに編集処理の時間が延長される。
【０１６３】
以上のように、編集処理において、標準編集経過時間が標準編集設定時間に達した時点で、後続のプレーヤがいない場合、編集時間を延長し、延長中に、代金が投入された場合、所定の残り時間をカウントダウンすることにより、従来より多くの時間を編集処理に確保することが可能となる。これにより、プレーヤは、より満足のゆく編集を施すことが可能となる。
【０１６４】
なお、上述の例においては、サービス編集設定時間として、予め所定の時間が設定されている場合を例にして説明したが、サービス編集設定時間は、予め設定せず、状況に応じて設定するようにしても良い。例えば、サービス編集設定時間を、撮影残り時間の１／２（勿論、他の割合でもよい）に設定したり、撮影残り時間から所定の時間分（例えば１分間）だけ引き算した時間に設定しても良い。
【０１６５】
次に、図７を参照して上記した撮影処理とは異なる撮影処理の例について図１８のフローチャートを参照して説明する。
【０１６６】
図１８のステップＳ２０１乃至ステップＳ２０４の処理は、図７のステップＳ１２１乃至ステップＳ１２４の処理と同様である。
【０１６７】
すなわち、ステップＳ２０１において、顧客応対処理部２７１は、撮影用モニタ６２に、図８のように、ライブビュー３０１、撮影残り時間３０２、および撮影ボタンの操作を指示する案内３０３を表示する。ステップＳ２０２において、顧客応対処理部２７１は、撮影経過時間のカウントを開始する。なお、顧客応対処理部２７１は、撮影経過時間のカウントにあわせて、撮影用モニタ６２に表示された撮影残り時間３０２をカウントダウンする。ステップＳ２０２の処理の後、ステップＳ２０３において、顧客応対処理部２７１は、撮影ボタンが操作されたか否かを判定し、撮影ボタンが操作されていない場合、処理はステップＳ２０４に進む。
【０１６８】
ステップＳ２０４において、顧客応対処理部２７１は、撮影経過時間が、撮影開始限度時間より大きい値になったか否かを判定し、撮影経過時間が、撮影開始限度時間より大きい値になってはいないと判定した場合、処理はステップＳ２０３に戻り、ステップＳ２０３以降の処理をくり返す。
【０１６９】
このようにして、撮影ボタンが操作されず、かつ、撮影経過時間が撮影開始限度時間以下である場合、ステップＳ２０３およびステップＳ２０４の処理がくり返されるが、ステップＳ２０３において、顧客応対処理部２７１が、撮影ボタンが操作されたと判定した場合、処理はステップＳ２０５に進む。
【０１７０】
ステップＳ２０５において、顧客応対処理部２７１は、撮影用モニタ６２に、図９に示されるように、カウントダウンインジケータ３１１を表示し、撮影画像の生成を行う。
【０１７１】
すなわち、顧客応対処理部２７１は、カウンタダウンインジケータ３１１の左側の信号から順に点灯を開始し、１番右側の信号が点灯されたとき、案内３１２「はい、ポーズ！」を表示し、この案内３１２が表示されるのと同時に、照明装置６５を制御して、フラッシュを被写体に照射するとともに、その瞬間にカメラ７１により撮像されたフレーム（映像信号）を、撮影画像として記憶装置２０３に記憶させる。
【０１７２】
ステップＳ２０５の処理の後、ステップＳ２０６において、顧客応対処理部２７１は、撮影用モニタ６２に、ステップＳ２０５で生成された撮影画像を、所定の時間（例えば、３秒間）だけ表示させる。
【０１７３】
その後、ステップＳ２０７において、顧客応対処理部２７１は、撮影経過時間が、撮影設定時間より大きい値になったか否かを判定し、撮影経過時間が撮影設定時間より大きい値になっていない（撮影経過時間が撮影設定時間以下であった）場合、処理はステップＳ２０５に戻り、ステップＳ２０５以降の処理をくり返し実行する。このように、撮影経過時間が撮影設定時間より大きい値になるまで、ステップＳ２０５乃至ステップＳ２０７の処理をくり返すことにより、所定の時間間隔で、連続的に撮影画像を得ることができる。
【０１７４】
ステップＳ２０７において、顧客応対処理部２７１が、撮影経過時間は撮影設定時間より大きい値であると判定した場合、撮影処理が終了し、処理は図６のステップＳ１０４に進む。
【０１７５】
ステップＳ２０４に戻って、顧客応対処理部２７１が、撮影経過時間が撮影開始限度時間より大きい値であると判定した場合、処理はステップＳ２０８に進む。
【０１７６】
ステップＳ２０８において、顧客応対処理部２７１は、図９のように、カウントダウンインジケータ３１１を表示し、撮影画像を生成する。すなわち、カウンタダウンインジケータ３１１は、例えば、左側の信号から順に点灯が開始され、１番右側の信号が点灯されたとき、案内３１２「はい、ポーズ！」が表示される。顧客応対処理部２７１は、この案内３１２が表示されるのと同時に、照明装置６５を制御して、フラッシュを被写体に照射するとともに、その瞬間にカメラ６１により撮像されたフレーム（映像信号）を、撮影画像として記憶装置２０３に記憶させる。
【０１７７】
ステップＳ２０８の処理の後、ステップＳ２０９において、顧客応対処理部２７１は、撮影用モニタ６２に、ステップＳ２０８で生成された撮影画像を、所定の時間（例えば、３秒間）だけ表示させる。
【０１７８】
このように、撮影経過時間が撮影開始限度時間より大きい値になった場合、プレーヤから撮影ボタンが操作されなくても、撮影画像を生成することにより、少なくとも、編集するための撮影画像を１枚保持することができる。
【０１７９】
ステップＳ２０９の処理の後、撮影処理が終了し、処理は図６のステップＳ１０４に進む。
【０１８０】
以上のようにして、撮影処理を実行しても良い。図１８に示された撮影処理においては、図７に示された撮影処理とは異なり、１度、撮影ボタンが操作されると、所定の時間間隔で、自動的に撮影画像の生成がくり返される。
【０１８１】
次に、図１９のフローチャートを参照して、図１３の編集処理の例とは異なる編集処理の例について説明する。なお、図１９のステップＳ２２１乃至ステップＳ２２５の処理は、図１３のステップＳ１７１乃至ステップＳ１７５の処理と同様である。
【０１８２】
すなわち、ステップＳ２２１において、顧客応対処理部２７１は、編集用モニタ２３１−１および２３１−２に、図１４のように、編集残り時間を含む編集画面を表示し、プレーヤからの編集の受け付けを開始する。ステップＳ２２２において、顧客応対処理部２７１は、標準編集経過時間のカウントを開始する。なお、顧客応対処理部２７１は、標準編集経過時間のカウントにあわせて、編集用モニタ２３１に表示された編集残り時間４５３をカウントダウンする。すなわち、標準編集設定時間が、例えば、１８０秒であるとした場合、標準編集経過時間が１秒、２秒、３秒とカウントされてゆくのに従って、編集用モニタ２３１上の編集残り時間４５３は、「残り１７９秒」、「残り１７８秒」、「残り１７７秒」のように、カウントダウンしてゆく。プレーヤは、この表示により、編集を行える残り時間を把握することができる。
【０１８３】
ステップＳ２２３において、顧客応対処理部２７１は、標準編集経過時間が標準編集設定時間より大きい値であるか否かを判定し、標準編集経過時間が標準編集設定時間より大きい値ではない（標準編集経過時間が標準編集設定時間以下である）場合、処理はステップＳ２２４に進む。
【０１８４】
ステップＳ２２４において、顧客応対処理部２７１は、編集終了ボタン４６０が落書きペン４２でタッチされたか否かを判定し、編集終了ボタン４６０が落書きペン４２でタッチされていない場合、処理はステップＳ２２３に戻り、ステップＳ２２３以降の処理をくり返す。
【０１８５】
このようにして、編集終了ボタン４６０が操作されず、かつ、標準編集経過時間が標準編集設定時間以下である場合、ステップＳ２２３およびステップＳ２２４の処理がくり返されるが、ステップＳ２２３において、顧客応対処理部２７１が、標準編集経過時間が標準編集設定時間より大きい値であると判定した場合、処理はステップＳ２２５に進む。また、ステップＳ２２４において、顧客応対処理部２７１が編集終了ボタン４６０が落書きペン４２によりタッチされたと判定した場合、処理は後述するステップＳ２３１に進む。
【０１８６】
ステップＳ２２５において、顧客応対処理部２７１は、上記したステップＳ２２１乃至ステップＳ２２４の処理の実行中に、硬貨処理部２０２から、支払い信号が通知されていたか否かを判定し、ステップＳ２２１乃至ステップＳ２２４の処理の実行中に、硬貨処理部２０２から、支払い信号が通知されていた場合、すなわち、後続のプレーヤがいた場合、処理は後述するステップＳ２３１に進む。ステップＳ２２５において、顧客応対処理部２７１が、ステップＳ２２１乃至ステップＳ２２４の処理の実行中に、硬貨処理部２０２から、支払い信号が通知されていないと判定した場合、すなわち、後続のプレーヤがいない場合、処理はステップＳ２２６に進む。
【０１８７】
ステップＳ２２６において、顧客応対処理部２７１は、編集用モニタ２３１への編集残り時間４５３の表示を終了し、図１５のように、サービス時間中であることを示すメッセージを表示する。
【０１８８】
ステップＳ２２７において、顧客応対処理部２７１は、サービス編集経過時間のカウントを開始する。ステップＳ２２８において、顧客応対処理部２７１は、サービス編集経過時間が、設定されたサービス編集設定時間より大きい値であるか否かを判定し、サービス編集経過時間がサービス編集設定時間より大きくない場合、処理はステップＳ２２９に進む。
【０１８９】
ステップＳ２２９において、顧客応対処理部２７１は、編集終了ボタン４６０が落書きペン４２でタッチされたか否かを判定し、編集終了ボタン４６０が落書きペン４２でタッチされていない場合、処理はステップＳ２２８に戻り、ステップＳ２２８以降の処理をくり返す。
【０１９０】
このようにして、編集終了ボタン４６０が操作されず、かつ、サービス編集経過時間がサービス編集設定時間以下の場合、ステップＳ２２８およびステップＳ２２９の処理がくり返されるが、ステップＳ２２８において、顧客応対処理部２７１が、サービス編集経過時間がサービス編集設定時間より大きい値であると判定した場合、処理はステップＳ２３０に進む。また、ステップＳ２２９において、顧客応対処理部２７１が編集終了ボタン４６０が落書きペン４２によりタッチされたと判定した場合、処理は後述するステップＳ２３１に進む。
【０１９１】
ステップＳ２３０において、顧客応対処理部２７１は、ステップＳ２２６の処理以降のサービス時間中に、コイン投入口３１から所定の金額の代金が投入されていたか否かを判定し、ステップＳ２２６の処理以降のサービス時間中に、コイン投入口３１から所定の金額の代金は投入されていない場合、処理はステップＳ２２７に戻り、ステップＳ２２７以降の処理をくり返す。
【０１９２】
ステップＳ２３０において、顧客応対処理部２７１が、ステップＳ２２６の処理以降のサービス時間中に、コイン投入口３１から所定の金額の代金が投入されたと判定した場合、処理はステップＳ２３１に進む。
【０１９３】
ステップＳ２３１において、顧客応対処理部２７１は、落書きペン４２による編集対象画像４５６への編集の入力の受け付けを終了する。
【０１９４】
図２０は、ステップＳ２３１において編集用モニタ２３１に表示される画面の例である。図２０においては、編集の受け付けを終了する案内５２１「落書きを終了するよ！」が表示されている。
【０１９５】
ステップＳ２３２において、顧客応対処理部２７１は、編集用モニタ２３１に、プレーヤを編集空間１０１から、シール取出し口３２の前に移動するように誘導する案内を表示する。プレーヤは、この案内に従って、編集空間１０１から退場し、シール取出し口３２の前の空間に移動する。
【０１９６】
以上のようにして編集処理を実行しても良い。編集処理が終了した後、処理は図６のステップＳ１０６に進む。
【０１９７】
以上のような処理の結果、例えば、図２１Ａに示されるように、時刻ｔ１から時刻ｔ２までの標準編集設定時間Ｔ１が経過する前の、時刻ｔ１１のタイミングで、次のプレーヤの代金の投入が検出された場合、編集処理の時間は延長されない。しかしながら、図２１Ｂに示されるように、標準編集設定時間Ｔ１が経過するまでの間に代金の投入が検出されなければ、サービス編集設定時間Ｔ２を単位として、編集処理の時間が延長される。図２１Ｂの例では、サービス編集設定時間Ｔ２が３回延長された後、３回目のサービス編集設定時間Ｔ２の間の時刻ｔ３１において、次のプレーヤの代金の投入が検出されているので、以後、編集処理の時間は延長されない。
【０１９８】
以上のように、編集処理において、標準編集経過時間が標準編集設定時間に達した時点で、後続のプレーヤがいない場合、所定の時間分だけ編集時間を延長し、延長中に、代金が投入されなかった場合、再度、所定の時間分だけ編集時間を延長し、延長中に、代金が投入された場合、編集時間の延長を終了することにより、従来より多くの時間を編集処理に確保することが可能となる。これにより、プレーヤは、より満足のゆく編集を施すことが可能となる。
【０１９９】
なお、図１９の例においては、ステップＳ２３０において、サービス時間中に、代金が投入されたか否かに基づいて、再度、編集時間を延長するか否かを判定していたが、この判定の基準は、代金の投入ではなくても良い。例えば、撮影空間２５で撮影処理（または編集後処理）が開始されたか否かに基づいて、再度、編集時間を延長するか否かを判定しても良い。
【０２００】
図２２は、撮影空間２５で撮影処理が開始されたか否かに基づいて、再度、編集時間を延長するか否かを判定するようにした場合のフローチャートであり、図２３は、撮影空間２５で撮影後処理が開始されたか否かに基づいて、再度、編集時間を延長するか否かを判定するようにした場合のフローチャートである。
【０２０１】
すなわち、図２２のフローチャートにおいては、ステップＳ２５１乃至ステップＳ２５９、並びにステップＳ２６１およびステップＳ２６２の処理は、それぞれ図１９のステップＳ２２１乃至ステップＳ２２９、並びにステップＳ２３１およびステップＳ２３２の処理と同一である。図２２においては、ステップＳ２６０において、顧客応対処理部２７１は、ステップＳ２５６の処理以降のサービス時間中に、後続のプレーヤにより撮影処理が開始されていたか否かを判定し、ステップＳ２５６の処理以降のサービス時間中に、後続のプレーヤにより撮影処理が開始されていない場合、処理はステップＳ２５７に戻り、ステップＳ２５７以降の処理をくり返す。また、ステップＳ２６０において、顧客応対処理部２７１が、ステップＳ２５６の処理以降のサービス時間中に、後続のプレーヤにより撮影処理が開始されたと判定した場合、処理はステップＳ２６１に進む。
【０２０２】
また、図２３のフローチャートにおいては、ステップＳ２８１乃至ステップＳ２８９、並びにステップＳ２９１およびステップＳ２９２の処理は、それぞれ図１９のステップＳ２２１乃至ステップＳ２２９、並びにステップＳ２３１およびステップＳ２３２の処理と同一である。図２３においては、ステップＳ２９０において、顧客応対処理部２７１は、ステップＳ２８６の処理以降のサービス時間中に、後続のプレーヤにより撮影後処理が開始されていたか否かを判定し、ステップＳ２８６の処理以降のサービス時間中に、後続のプレーヤにより撮影後処理が開始されていない場合、処理はステップＳ２８７に戻り、ステップＳ２８７以降の処理をくり返す。また、ステップＳ２９０において、顧客応対処理部２７１が、ステップＳ２８６の処理以降のサービス時間中に、後続のプレーヤにより撮影後処理が開始されたと判定した場合、処理はステップＳ２９１に進む。
【０２０３】
以上のようにしても良い。
【０２０４】
次に、図２４のフローチャートを参照して、編集処理のさらに異なる例について説明する。
【０２０５】
図２４のステップＳ３２１乃至ステップＳ３２４、並びにステップＳ３２６乃至ステップＳ３３４の処理は、それぞれ図１３のステップＳ１７１乃至ステップＳ１７４、並びにステップＳ１７６乃至ステップＳ１８４の処理と同一である。図２４においては、ステップＳ３２５において、顧客応対処理部２７１は、上記したステップＳ３２１乃至ステップＳ３２４の処理の実行中に、硬貨処理部２０２から、支払い信号が通知されていたか否かを判定し、ステップＳ３２１乃至ステップＳ３２４の処理の実行中に、硬貨処理部２０２から、支払い信号が通知されていた場合、すなわち、後続のプレーヤがいた場合、処理は後述するステップＳ３２９に進む。ステップＳ３２５において、顧客応対処理部２７１が、ステップＳ３２１乃至ステップＳ３２４の処理の実行中に、硬貨処理部２０２から、支払い信号が通知されていないと判定した場合、すなわち、後続のプレーヤがいない場合、処理はステップＳ３２６に進む。
【０２０６】
すなわち、図１３においては、標準編集設定時間が経過中にコイン投入口３１から所定の金額の硬貨が投入された場合、標準編集設定時間が経過後、すぐに編集の受け付けを終了していたが、図２４においては、標準編集設定時間が経過中にコイン投入口３１から所定の金額の硬貨が投入された場合，標準編集設定時間が経過後、サービス編集設定時間分だけ（１回分だけ）編集の受付時間を延長する。これにより、プレーヤは、より長く編集を行うことができる。
【０２０７】
なお、図２４のフローチャートのステップＳ３２６において、編集用モニタ２３１に表示される画面の例を図２５に示し、ステップＳ３２９において、編集用モニタ２３１に表示される画面の例を図２６に示す。
【０２０８】
図２５においては、サービス時間が開始されることの案内５４１「サービス時間を開始するよ！」が表示されている。
【０２０９】
図２６においては、編集残り時間の案内５６１「６０秒後  サービスは終了するよ！」が表示され、また、カウントダウンの開始の案内５６２「カウントダウン開始」が表示されている。案内５６１のうち「６０秒」の部分は、この後、「５９秒」、「５８秒」、「５７秒」のようにカウントダウンしてゆく。
【０２１０】
次に、図２７は、編集処理のさらに異なる例を表している。
【０２１１】
図２７の例におけるステップＳ３５１乃至ステップＳ３５４、ステップＳ３５６、並びにステップＳ３５８乃至ステップＳ３６４の処理は、それぞれ図１３のステップＳ１７１乃至ステップＳ１７４、ステップＳ１７６、並びにステップＳ１７８乃至ステップＳ１８４の処理と同一である。図２７においては、ステップＳ３５５において、顧客応対処理部２７１は、カメラ７１により取り込まれている撮影空間２５内の映像信号に基づいて、ステップＳ３５１乃至ステップＳ３５４の処理の実行中に、後続のプレーヤが撮影空間２５に入室したか否かを判定し、ステップＳ３５１乃至ステップＳ３５４の処理の実行中に、後続のプレーヤが撮影空間２５に入室していない場合、処理はステップＳ３５６に進み、ステップＳ３５１乃至ステップＳ３５４の処理の実行中に、後続のプレーヤが撮影空間２５に入室していた場合、処理はステップＳ３６３に進む。また、図２７においては、ステップＳ３５７において、顧客応対処理部２７１は、カメラ７１により取り込まれている撮影空間２５内の映像信号に基づいて、後続のプレーヤが撮影空間２５に入室したか否かを判定し、後続のプレーヤが撮影空間２５に入室していない場合、処理はステップＳ３５８に進み、後続のプレーヤが撮影空間２５に入室していた場合、処理はステップＳ３５９に進む。
【０２１２】
すなわち、図１３においては、代金の投入の有無に基づいて、後続のプレーヤの有無を判定していたが、図２７においては、撮影空間２５に後続のプレーヤが入室したか否かに基づいて判定している。このようにしても良い。なお、本例においては、撮影空間２５にプレーヤが入室したか否かを、撮像装置６１により撮像された映像信号に基づいて、判定しているが、撮影空間２５にプレーヤが入室したか否かを、例えば赤外線等のような他の検出手段で検出するようにしても良い。
【０２１３】
次に、図２８のフローチャートを参照して、編集処理のさらに異なる例について説明する。
【０２１４】
図２８の例におけるステップＳ３７１乃至ステップＳ３７６、並びにステップＳ３７８乃至ステップＳ３８４の処理は、それぞれ図１３のステップＳ１７１乃至ステップＳ１７６、並びにステップＳ１７８乃至ステップＳ１８４の処理と同一である。図２８においては、ステップＳ３７７において、顧客応対処理部２７１は、撮影空間２５で後続のプレーヤが画像保存ボタン４０６（図１１参照）を操作したか否かを判定し、撮影空間２５で後続のプレーヤが画像保存ボタン４０６を操作していない場合、処理はステップＳ３７８に進み、撮影空間２５で後続のプレーヤが画像保存ボタン４０６を操作していた場合、処理はステップＳ３７９に進む。すなわち、図１３においては、ステップＳ１７７で、代金の投入の有無に基づいて判定していたのに対して、図２８においては、ステップＳ３７７で、画像保存ボタン４０６が操作されたか否かに基づいて判定するようになされている。
【０２１５】
ところで、写真シール販売機１０は、編集空間１０１でプレーヤが編集処理を行い、撮影空間２５で後続のプレーヤが撮影処理または撮影後処理を行っている場合、所定のタイミングで、撮影用モニタ６２上に、編集を終了するように促す催促ボタンを表示し、撮影空間２５のプレーヤが催促ボタンを操作した場合、編集処理を終了するようにさせることができる。
【０２１６】
次に、図２９のフローチャートを参照して、写真シール販売機１０の催促ボタン表示処理について説明する。なお、図２９の催促ボタン表示処理の例は、撮影処理中に、催促ボタンを表示させる場合の例である。
【０２１７】
撮影処理が開始されてから催促ボタンを表示させるまでの時間（以下、催促ボタン表示設定時間と称する）は、予め設定されており、ステップＳ４０１において、顧客応対処理部２７１は、例えば図７の撮影処理のステップＳ１２２でカウントが開始された撮影経過時間が催促ボタン表示設定時間より大きい値になったか否かを判定し、撮影経過時間が催促ボタン表示設定時間より大きい値になるまでステップＳ４０１の処理をくり返して待機する。そして、ステップＳ４０１において、顧客応対処理部２７１が、撮影経過時間が催促ボタン表示設定時間より大きい値になったと判定した場合、処理はステップＳ４０２に進む。
【０２１８】
ステップＳ４０２において、顧客応対処理部２７１は、撮影用モニタ６２に催促ボタンを表示させる。催促ボタンは、例えば、図８に示される画面の右下等の余白部分に表示される。プレーヤは、撮影用操作パネル６４を操作することにより、催促ボタンを操作することができる。なお、催促ボタンは、例えば、撮影処理が終了に近づいたときに表示される。
【０２１９】
次に、催促ボタンが表示された場合の編集処理の例について、図３０のフローチャートを参照して説明する。
【０２２０】
なお、図３０のフローチャートのステップＳ４２１乃至ステップＳ４２６、並びにステップＳ４２８乃至ステップＳ４３４の処理は、それぞれ図１３のフローチャートのステップＳ１７１乃至ステップＳ１７６、並びにステップＳ１７８乃至ステップＳ１８４の処理と同一である。図３０の処理が図１３の処理と異なる点は、図１３のフローチャートにおいては、ステップＳ１７７で、代金が投入されたか否かに基ずいて判定しているのに対して、図３０のフローチャートにおいては、ステップＳ４２７で、撮影用モニタ６２に表示された催促ボタンが操作されたか否かに基づいて判定している点である。
【０２２１】
すなわち、図３０においては、ステップＳ４２７において、顧客応対処理部２７１は、撮影用モニタ６２に表示された催促ボタンが操作されたか否かを判定し、催促ボタンが操作されていない場合、処理はステップＳ４２８に進み、催促ボタンが操作された場合、処理はステップＳ４２９に進む。
【０２２２】
このように、撮影用モニタ６２に催促ボタンを表示し、催促ボタンが操作された場合、編集時間の延長を制限することにより、撮影空間２５のプレーヤがすぐに編集を行いたい場合は、撮影空間２５のプレーヤは、よりはやく編集を開始でき、撮影空間２５のプレーヤがゆっくり撮影を楽しみたい場合は、編集空間１０１のプレーヤは、より長く編集を行うことができるようになる。
【０２２３】
次に、図３１は、催促ボタンを表示する場合の編集処理の図３０とは異なる例である。なお、図３１の処理は、ステップＳ４５７の処理が図３０のステップＳ４２７の処理と異なるのみであり、その他の処理は、図３０の処理と同一である。すなわち、図３１のステップＳ４５１乃至ステップＳ４５６、並びにステップＳ４５８乃至ステップＳ４６４の処理は、それぞれ図３０のステップＳ４２１乃至ステップＳ４２６、並びにステップＳ４２８乃至ステップＳ４３４の処理と同一である。図３１においては、ステップＳ４５７において、顧客応対処理部２７１は、撮影用モニタ６２に表示された催促ボタンが操作されたか、または撮影後処理が開始されたか否かを判定し、催促ボタンが操作されず、かつ、撮影後処理も開始されていない場合、処理はステップＳ４５８に進む。一方、ステップＳ４５７において、顧客応対処理部２７１が、催促ボタンが操作されたと判定した場合、または撮影後処理が開始されたと判定した場合、処理はステップＳ４５９に進む。以上のようにしてもよい。
【０２２４】
ところで、撮影空間２５において、全ての処理を実行したプレーヤは、編集空間１０１に移動して、編集対象画像に対して編集を行う。そのため、撮影後処理により決定された編集対象画像が、編集用モニタ２３１に表示される。しかしながら、編集空間１０１に、編集を終了したばかりのプレーヤが、まだ居残っている場合があり、従来、編集用モニタ２３１に表示された編集対象画像が、居残っていた他のプレーヤに見られてしまうことがあるという問題があった。
【０２２５】
すなわち、例えば図４Ｂにおいて、Ａグループは、編集を終了した場合、編集空間から退室して、シール取出し口３２の付近に移動し、Ａグループと入れ替わりに、Ｂグループが編集空間１０１に入室し、編集を開始する。これに合わせて、Ｂグループを撮影して生成された編集対象画像が、編集用モニタ２３１−１および２３１−２に表示される。しかしながら、Ａグループが編集空間１０１から退室するまでに長時間を要した場合、編集用モニタ２３１−１および２３１−２に表示された、Ｂグループを撮影して生成された編集対象画像が、Ａグループに見られてしまうことがあるという問題があった。
【０２２６】
そこで、次に、図３２および図３３のフローチャートを参照して、上記のような問題を解決した編集処理の例について説明する。
【０２２７】
ステップＳ５０１において、顧客応対処理部２７１は、編集用モニタ２３１にデモ画面を表示する。
【０２２８】
図３４は、編集用モニタ２３１に表示されるデモ画面の例を表している。図３４のデモ画面６０１においては、画面中央に、案内６０２「撮影から始めてね！」が表示されている。写真シール販売機１０を利用しようとする者の中には、撮影空間２５での処理を行わず、最初に編集空間１０１に来てしまう者がいる可能性がある。そこで、案内６０２を表示することにより、誤って編集空間１０１に来てしまった者に、撮影から始めることを知らせることができる。
【０２２９】
顧客応対処理部２７１は、撮影後処理が終了した後、記憶装置２０３内の、あるディレクトリに記憶された編集対象画像を、同じ記憶装置２０３の異なるディレクトリに転送する。そこで、ステップＳ５０２において、顧客応対処理部２７１は、編集対象画像の転送が開始されたか否かを判定し、編集対象画像の転送が開始されていない場合、処理はステップＳ５０１に戻り、ステップＳ５０１以降の処理をくり返す。
【０２３０】
ステップＳ５０２において、顧客応対処理部２７１が、編集対象画像の転送が開始されたと判定した場合、処理はステップＳ５０３に進む。
【０２３１】
ステップＳ５０３において、顧客応対処理部２７１は、編集用モニタ２３１に編集対象画像を転送中であることをプレーヤに知らせる案内を表示する。
【０２３２】
図３５は、ステップＳ５０３において、編集用モニタ２３１に表示される画面の例である。図３５において、転送画面６１１の中央には、編集対象画像を転送中であることの案内６１２「画像転送中！」が表示されている。プレーヤは、この案内６１２により、編集対象画像が転送中であることを知ることができる。
【０２３３】
ステップＳ５０４において、顧客応対処理部２７１は、編集対象画像の転送が完了したか否かを判定し、編集対象画像の転送が完了していない場合、処理はステップＳ５０３に戻り、ステップＳ５０３以降の処理をくり返す。
【０２３４】
ステップＳ５０４において、顧客応対処理部２７１が、編集対象画像の転送が完了したと判定した場合、処理はステップＳ５０５に進む。
【０２３５】
ステップＳ５０５において、顧客応対処理部２７１は、編集用モニタ２３１に、メニューのみの編集画面を表示する。
【０２３６】
図３６は、ステップＳ５０５で編集用モニタ２３１に表示される画面の例を表している。図３６の編集画面４５１においては、スタンプ４５４−１乃至４５４−６、スクロールバー４５５、背景ブラシボタン４５７、スタンプボタン４５８、およびペンボタン４５９などのメニューが表示されている。また、編集対象画像４５６の中央を覆い隠すように、案内６２１「落書き準備が出来たよ。まず、スタンプを選んでね！」が表示されている。このように、編集対象画像４５６を案内６２１で覆い隠すことにより、他のプレーヤに、編集対象画像を見られないようにすることができる。なお、案内６２１で覆われる編集対象画像４５６の面積は、図３６に示された例に限定されるものではない。図３６においては、編集対象画像４５６の中央部のみが、案内６２１で覆い隠され、編集対象画像４５６の端は、編集用モニタ２３１に表示されているが、勿論、編集対象画像４５６を案内６２１により完全に覆い隠すようにしても良い。また、図３６の例においては、案内６２１「落書き準備が出来たよ。まず、スタンプを選んでね！」に記載のように、最初にスタンプを選択させるようにしているが、勿論、これは１例であり、スタンプ以外のメニュー（例えば、背景ブラシやペン）を最初に選択させるようにしても良い。この場合、案内６２１は、例えば「落書き準備が出来たよ。まず、背景ブラシを選んでね！」、または「落書き準備が出来たよ。まず、ペンを選んでね！」のように表示することができる。
【０２３７】
また、編集対象画像４５６を明瞭に視認できない程度に、案内６２１を編集対象画像４５６に半透明合成して、表示しても良い。また、上記の例においては、案内６２１により覆い隠すことにより、編集対象画像４５６が他人に見られるのを防いでいるが、編集対象画像４５６を覆い隠す代わりに、編集対象画像４５６にモザイクをかけて表示したり、編集対象画像４５６の輝度を低くして表示したりして、編集対象画像４５６を見え辛くしてもよい。また、編集対象画像４５６が明瞭に視認できないようにする、その他の手段を利用しても良い。
【０２３８】
また、ステップＳ５０５において、図３７のような準備画面を表示するようにしても良い。
【０２３９】
図３７の準備画面６３１においては、中央に案内６３２「落書き準備が出来たよ。ペンでタッチしてね！」が表示されている。このように、編集のためのメニューも表示しないようにしても良い。プレーヤが、案内６３２に従って、落書きペン４２で編集用モニタ２３１上をタッチすると、図１４に示された編集画面４５１が表示される（ステップＳ５０８およびステップＳ５０９）。
【０２４０】
図３２のフローチャートに戻り、ステップＳ５０６において、顧客応対処理部２７１は、非表示経過時間のカウントを開始する。すなわち、写真シール販売機１０においては、編集対象画像が転送されてから所定の時間（例えば、１０秒間）、図３６または図３７の画面を表示し、落書きペン４２で編集用モニタ２３１がタッチされない限り、編集対象画像が編集用モニタ２３１に表示されないようにしているが、この所定の時間（以下、非表示設定時間と称する）が過ぎた場合、自動的に図１４の編集画面４５１を表示するようになされている。非表示経過時間は、編集対象画像が表示されないでいる経過時間のことである。
【０２４１】
ステップＳ５０７において、顧客応対処理部２７１は、非表示経過時間が非表示設定時間より大きい値であるか否かを判定し、非表示経過時間が非表示設定時間より大きい値ではない場合、処理はステップＳ５０８に進む。
【０２４２】
ステップＳ５０８において、顧客応対処理部２７１は、落書きペン４２がタッチパネル２３２にタッチしたか否かを判定し、落書きペン４２がタッチパネル２３２にタッチされていない場合、処理はステップＳ５０７に戻り、ステップＳ５０７以降の処理をくり返す。
【０２４３】
このようにして、非表示経過時間が非表示設定時間以下であり、かつ、落書きペン４２がタッチパネル２３２にタッチしていない場合、ステップＳ５０７およびステップＳ５０８の処理がくり返されるが、ステップＳ５０７において、非表示経過時間が非表示設定時間より大きい値であると判定された場合、またはステップＳ５０８において、落書きペン４２がタッチパネル２３２にタッチしたと判定された場合、処理は図３３のステップＳ５０９に進む。
【０２４４】
ステップＳ５０９において、顧客応対処理部２７１は、編集用モニタ２３１に図１４のような編集画面４５１を表示し、プレーヤからの編集の受け付けを開始する。なお、ステップＳ５０９乃至ステップＳ５２２の処理は、それぞれ図１３のステップＳ１７１乃至ステップＳ１８４の処理と同一であるため、その詳細な説明は省略する。
【０２４５】
以上のように、撮影後処理により決定された編集対象画像が、所定のディレクトリに転送された後、所定の時間（非表示設定時間）だけ、編集用モニタ２３１への編集対象画像の表示を行わないようにすることにより、撮影空間２５で自らの撮影を行ったプレーヤは、編集対象画像を、編集空間１０１にいる他のプレーヤに見られないようにすることができる。また、非表示設定時間中であっても、落書きペン４２でタッチパネル２３２をタッチすることにより、編集画面４５１を表示するようにすることにより、編集時間をより多くすることが可能になる。
【実施例２】
【０２４６】
次に、写真シール販売機１０により行われる、落書き時間を管理する他の処理について説明する。なお、実施例２においても、写真シール販売機１０の構成は、後述する図５０、図５１に示されるように、コイン投入口の設置位置のみが異なる点を除いて、図１と図２に示されるもの（実施例１のもの）と同様である。
【０２４７】
この例においては、撮影空間２５で撮影を終えた利用者に対して与えられるデフォルトの落書き時間（落書きを行うことができる時間）は、固定の時間である３分とされている。以下、この固定の時間を制限時間（Ｔ）と適宜称する。
【０２４８】
制限時間（Ｔ）に対しては、写真シール販売機１０の利用状況に応じて所定の時間が付加され、落書き時間の延長が行われる。
【０２４９】
ここで、利用状況毎の落書き時間の延長について説明する。
【０２５０】
図３８Ａは、制限時間（Ｔ）を示す図である。図３８Ａにおいて、時刻ｔ１は落書き時間のカウントダウンが開始される時刻であり、時刻ｔ２は、時刻ｔ１から、予め定められた固定の時間である３分の制限時間（Ｔ）経過後の時刻である。図３８Ｂ乃至Ｄにおいても同様である。
【０２５１】
落書き開始から（落書き時間のカウントダウンが開始から）制限時間（Ｔ）経過後の時刻ｔ２においては、撮影空間２５に、そのとき落書きを行っている利用者とは異なる他の利用者（次客）がいるか否かの検知が行われる。
【０２５２】
図３８Ｂは、時刻ｔ２で行われる検知により、撮影空間２５に次客がいることが検知された場合の落書き時間の例を示す図である。
【０２５３】
この場合、図３８Ｂの斜線で示されるように猶予時間（Ｔｔ）だけ落書き時間が延長される。すなわち、この場合、制限時間（Ｔ）に付加される延長時間は「猶予時間（Ｔｔ）」となり、制限時間（Ｔ）に加え、制限時間（Ｔ）が終了した時刻である時刻ｔ２からその時間だけ経過した時刻ｔ３まで落書きが可能となる。
【０２５４】
後に詳述するように、猶予時間（Ｔｔ）は、基準の時間が３０秒とされるが、落書きを行っている利用者自身が撮影時に行ったゲームの成否に応じた時間（α秒）だけ増加される。
【０２５５】
撮影空間２５でのデフォルトの撮影時間（撮影を行うことができる時間）も、落書き時間の制限時間（Ｔ）と同様に固定の時間である３分とされている。従って、このように落書き時間が延長される場合であっても、延長される時間自体は、撮影時間に較べて十分短いため、落書き時間が延長されていることにより、撮影を終えた利用者が、その後の落書きをすぐに開始させることができないといったことはない。
【０２５６】
図３８Ｃは、時刻ｔ２で行われる検知により、撮影空間２５に次客がいないことが検知された場合の落書き時間の例を示す図である。
【０２５７】
この場合、落書きの開始時刻である時刻ｔ１からの時間が最大時間（Ｔｍａｘ）になるまでを限度として、次客が検知されるまで落書き時間が延長される。この最大時間（Ｔｍａｘ）は例えば固定の１０分間とされる。
【０２５８】
図３８Ｃに示されるように、時刻ｔ２から１分間経過後の時刻ｔ４において次客が撮影空間２５において検知された場合、その検知された時刻である時刻ｔ４から猶予時間（Ｔｔ）だけさらに落書きが可能とされる。すなわち、この場合、制限時間（Ｔ）に付加される落書きの延長時間は「次客が検知されるまでの時間（この例の場合１分間）＋猶予時間（Ｔｔ）」となり、制限時間（Ｔ）が終了した時刻である時刻ｔ２からその時間だけ経過後の時刻ｔ５まで落書きが可能になる（次客が検知された時刻ｔ４から猶予時間（Ｔｔ）だけ経過後の時刻ｔ５まで落書きが可能になる）。
【０２５９】
図３８Ｄは、落書きの開始時刻である時刻ｔ１からの経過時間が最大時間（Ｔｍａｘ）となるまで次客が検知されない場合の落書き時間の例を示す図である。
【０２６０】
この場合、図３８Ｄに示されるように、時刻ｔ１からの時間が最大時間（Ｔｍａｘ）となる時刻ｔ６までに加え、時刻ｔ６からさらに猶予時間（Ｔｔ）だけ落書きが可能とされる。
【０２６１】
すなわち、制限時間（Ｔ）に付加される落書きの延長時間は「制限時間（Ｔ）の経過から７分間＋猶予時間（Ｔｔ）」となり、制限時間（Ｔ）が終了した時刻である時刻ｔ２からその時間だけ経過後の時刻ｔ７まで落書きが可能になる。このように、次客が検知されない場合には、最大、「最大時間（Ｔｍａｘ）（この例の場合１０分）＋猶予時間（Ｔｔ）」まで落書きが可能になることから、十分な落書き時間を確保することができる。従って、これにより、十分な時間で落書きを行いたいとする利用者の満足度の向上を図ることができる。
【０２６２】
落書き時間を管理する写真シール販売機１０の処理についてはフローチャートを参照して後述する。
【０２６３】
図３９は、図３８Ｂ乃至Ｄに示されるように、利用状況に応じて落書き時間の管理を行う写真シール販売機１０（図５の顧客応対処理部２７１）の機能構成例を示すブロック図である。なお、図３９には、落書き時間の管理を行う機能部を特に図示している。従って、顧客応対処理部２７１には、図３９に示されるもの以外にも、撮影機能を提供する構成、落書き機能を提供する構成など、図６の各ステップの処理を実現する各構成が用意される。
【０２６４】
猶予時間設定部１００１は、猶予時間（Ｔｔ）を設定し、それを判定部１００３に出力する。上述したように、猶予時間（Ｔｔ）は、撮影時に行われるゲームの成否によってもその時間が増加される。
【０２６５】
経過時間測定部１００２は、落書きが開始されてからの経過時間（図３８Ａ乃至Ｄの時刻ｔ１からの経過時間）の測定や、猶予時間（Ｔｔ）が開始されてからの経過時間の測定を行う。経過時間測定部１００２の測定結果は判定部１００３と落書き時間表示制御部１００５に出力される。
【０２６６】
判定部１００３は、猶予時間設定部１００１から入力される猶予時間（Ｔｔ）と、経過時間測定部１００２から入力される経過時間に基づいて落書きの終了時刻になったか否かを判定する。また、判定部１００３は、検知部１００４から入力される次客の検知結果などにも基づいて、落書きの終了時刻になったか否かを判定する。判定部１００３の判定結果は、落書き時間表示制御部１００５に出力され、落書き時間表示制御部１００５により行われる落書きの残り時間の表示に際して参照される。
【０２６７】
検知部１００４は、撮影空間２５にいる利用者の検知を行い、検知の結果である利用者がいるか否かを表す情報を判定部１００３に出力する。
【０２６８】
落書き時間表示制御部１００５は、判定部１００３からの入力と経過時間測定部１００２からの入力に基づいて、編集用操作パネル４１−１，４１−２（編集用操作パネル４１）に表示される落書き画面のうちの、落書き時間の残り時間を表すカウントダウンの表示を制御する。
【０２６９】
ここで、落書き時間の管理を行う写真シール販売機１０（顧客応対処理部２７１）の処理についてフローチャートを参照して説明する。
【０２７０】
始めに、図４０のフローチャートを参照して、顧客応対処理部２７１による撮影側の処理（撮影空間２５にいる利用者に対して撮影を提供する処理）について説明する。
【０２７１】
この処理は、基本的には、図６のステップＳ１０１，Ｓ１０２，Ｓ１０３（図７の処理）、Ｓ１０４（図１０の処理）と同様である。
【０２７２】
すなわち、ステップＳ１００１において、顧客応対処理部２７１は、デモンストレーション用の画面（デモ画面）を撮影用モニタ６２に表示させ、ステップＳ１００２において、次客検知（撮影を開始させようとする利用者の検知）を行う。この検知は、利用者が撮影用モニタ６２にふれることで撮影用モニタ６２に積層されているタッチパネルから発生する検出信号に基づいて行われる。例えば、一定時間毎（例えば３０秒に一回）に「この画面はタッチ式だよ。画面にタッチしてね！」というように操作方法を示し、利用者に撮影モニタ６２にふれることを誘導する表示を行う。この表示によりペンタッチ式入力に慣れている利用者に対して、この画面は、手で直接タッチする方式であることを喚起する。また、撮影用操作パネル６４が操作されたか否かによって利用者の検知が行われるようにしてもよい。
【０２７３】
ステップＳ１００３において、顧客応対処理部２７１は、硬貨処理部２０２からの出力に基づいて、所定の金額の代金（コイン）が投入されたか否かを判定し、投入されていないと判定した場合、ステップＳ１００１に戻り、それ以降の処理を繰り返し実行する。
【０２７４】
一方、顧客応対処理部２７１は、ステップＳ１００３において、コインが投入されたと判定した場合、ステップＳ１００４に進む。ただし、ステップＳ１００２において次客検知されていない場合、「この画面はタッチ式だよ。画面にタッチしてね！」を表示することで利用者に撮影モニタ６２がタッチ式であることを再度喚起し、撮影用モニタ６２からの検出信号が検知されるとステップＳ１００４に進むようにする。このとき一連のゲーム（写真シール販売機１０の利用）のうちの撮影が開始される。
【０２７５】
ステップＳ１００４において、顧客応対処理部２７１は、アップ／全身の選択画面（撮影範囲の選択画面）を撮影用モニタ６２に表示させる。利用者は、この画面から自分の顔の付近をアップにして撮影するのか、全身を撮影するのかを選択することができる。
【０２７６】
ステップＳ１００５において、顧客応対処理部２７１は、撮影用モニタ６２にメッセージを表示させることで、利用者の背景となるカーテンを選択させる。ステップＳ１００４，Ｓ１００５は、撮影前の準備のための処理であり、この準備が終了したとき、ステップＳ１００６において撮影開始となる。これにより、利用者自身が撮影用モニタ６２に表示される撮影開始ボタンを押下することで撮影が可能になる。
【０２７７】
撮影開始ボタンが押下されたとき、顧客応対処理部２７１はカメラ７１や照明装置６５−１，６５−２を駆動させることで撮影を行い、ステップＳ１００７において、得られた画像の撮影データを記憶装置２０３に記憶させる。
【０２７８】
顧客応対処理部２７１は、ステップＳ１００８において撮影エラー処理を行い、ステップＳ１００９において、追加撮影を行うか否かを判定する。撮影用モニタ６２には、撮影の終了を指示するときに利用者が押下する撮影終了ボタンも表示されており、それが押下されずに、撮影を繰り返すことが指示された場合、顧客応対処理部２７１は、ステップＳ１００９において追加撮影を行うと判定し、ステップＳ１００４に戻る。それ以降、上述した処理が繰り返される。
【０２７９】
一方、ステップＳ１００９において、例えば、撮影終了ボタンが押下されたことから、追加撮影を行わないと判定した場合、顧客応対処理部２７１は、ステップＳ１０１０に進み、キープ画像の選択画面を表示させる。このとき、撮影用モニタ６２には、繰り返し行われた撮影により得られた画像の一覧が表示され、その中から利用者によりキープ画像が選択される。
【０２８０】
ステップＳ１０１１において、顧客応対処理部２７１は、選択されたキープ画像を落書き用のバッファ（図示せず）に転送し、記憶させる。
【０２８１】
ステップＳ１０１２において、顧客応対処理部２７１は、編集空間１０１が空いているか否か、すなわち、先に撮影を終えた利用者（先のグループ）が編集空間１０１で落書きを行っていないか否かを判定する。
【０２８２】
ステップＳ１０１２において、顧客応対処理部２７１は、編集空間１０１が空いていると判定した場合、ステップＳ１０１３乃至Ｓ１０１６の処理をスキップし、ステップＳ１０１７において、撮影用モニタ６２にメッセージを表示させることで、撮影を終えた利用者に編集空間１０１への移動を案内する。
【０２８３】
一方、顧客応対処理部２７１は、落書きを行っている利用者がいることから、ステップＳ１０１２において、編集空間１０１が空いていないと判定した場合、ステップＳ１０１３に進み、追加撮影が選択されたか否かを判定する。ここで追加撮影が選択された場合、処理はステップＳ１００４に戻り、上述した処理が繰り返される。
【０２８４】
顧客応対処理部２７１は、ステップＳ１０１３において、追加撮影が選択されていないと判定した場合、ステップＳ１０１４に進み、ゲームを行うことが選択されたか否かを判定する。例えば、ステップＳ１０１２において編集空間１０１が空いていないと判定された場合、撮影用モニタ６２には、追加撮影を行うか、ゲームを行うかを利用者に選択させる画面が表示される。また、その画面には、ゲームで高得点をとった場合、落書き時間の延長時間が増えることを利用者に通知するメッセージなども表示される。
【０２８５】
追加撮影やゲームが提供されることで、編集空間１０１が空くのを待っている利用者が退屈するのを最小限に抑えることができる。
【０２８６】
ステップＳ１０１４においてゲームを行うことが選択されたと判定した場合、顧客応対処理部２７１は、ステップＳ１０１５に進み、ゲームの画面を撮影用モニタ６２に表示させ、利用者にゲームを提供する。このとき行われるゲームの結果に応じて、図３９の猶予時間設定部１００１により猶予時間設定処理が行われる。猶予時間設定処理の詳細については図４１を参照して後述する。ゲーム（猶予時間設定処理）が終了したとき、処理はステップＳ１０１２に戻り、それ以降の処理が繰り返される。
【０２８７】
一方、ステップＳ１０１４において、ゲームを行うことも選択されていないと判定した場合、顧客応対処理部２７１は、ステップＳ１０１６に進み、「このまましばらく待ってね」などのメッセージを含むデモ画面を表示させた後、ステップＳ１０１２に戻り、それ以降の処理を繰り返し実行する。編集空間１０１が空いていると判定された場合、編集空間１０１への移動が案内され、撮影側の処理が終了される。
【０２８８】
次に、図４１のフローチャートを参照して、図４０のステップＳ１０１５において猶予時間設定部１００１により行われる猶予時間設定処理について説明する。
【０２８９】
ステップＳ１０３１において、猶予時間設定部１００１は、ゲームが終了したか否かを判定し、ゲームが終了したと判定するまで待機する。ステップＳ１０３１において、ゲームが終了したと判定した場合、猶予時間設定部１００１は、ステップＳ１０３２に進み、ゲームの得点に応じた時間（α）を決定する。
【０２９０】
１００点満点のゲームが提供されている場合、例えば、そのゲームで５０点以上の得点を挙げた利用者に対しては「α＝３０秒」が与えられ、５０点未満の得点しか挙げられなかった利用者に対しては「α＝０」が与えられる。
【０２９１】
ステップＳ１０３３において、猶予時間設定部１００１は、ステップＳ１０３２で決定した時間（α）を、予め定められた例えば３０秒のデフォルトの時間に加算し、合計の時間を猶予時間（Ｔｔ）とする。従って、この例の場合、５０点以上の得点を挙げた利用者の猶予時間（Ｔｔ）は６０秒として決定され、５０点未満の得点しか挙げられなかった利用者の猶予時間（Ｔｔ）は３０秒（デフォルトの時間）として決定される。
【０２９２】
その後、処理は図４０のステップＳ１０１２に進む。
【０２９３】
次に、図４２のフローチャートを参照して、顧客応対処理部２７１による落書き側の処理（撮影を終えて編集空間１０１にいる利用者に落書きを提供する処理）について説明する。
【０２９４】
顧客応対処理部２７１は、ステップＳ１０５１において、「撮影から始めてね」などのメッセージを含むデモ画面を編集用操作パネル４１に表示させておき、ステップＳ１０５２において、撮影側の処理で利用者により選択されたキープ画像の転送（落書き用バッファへの転送）が完了したか否かを判定する。
【０２９５】
キープ画像の転送が完了していないと判定した場合、顧客応対処理部２７１は、ステップＳ１０５１に戻り、デモ画面を表示し続け、一方、転送が完了したと判定した場合、ステップＳ１０５３に進む。
【０２９６】
ステップＳ１０５３において、顧客応対処理部２７１の判定部１００３（図３９）は猶予フラグに「０（停止）」を設定する。この猶予時間フラグは、猶予時間（Ｔｔ）の計測が開始される直前に「１（カウントダウン中）」が設定されるものであり、そのときの時刻が、猶予時間（Ｔｔ）内の時刻であるか否かを表す。
【０２９７】
ステップＳ１０５４において、経過時間測定部１００２は経過時間（ｔ）の計測を開始する。ここで計測が開始される経過時間（ｔ）は、判定部１００３と落書き時間表示制御部１００５にリアルタイムで出力される。
【０２９８】
ステップＳ１０５５において、判定部１００３は、猶予時間フラグの設定が「１（カウントダウン中）」であるのか、「０（停止）」であるのかを判定し、「０（停止）」であると判定した場合、ステップＳ１０５６に進む。
【０２９９】
後述するように、経過時間（ｔ）が３分の制限時間（Ｔ）を経過し、かつ、撮影空間２５に次客がいることが検知された場合には猶予フラグに「１（カウントダウン中）」が設定される（ステップＳ１０６５）。また、次客が検知されていない場合でも、経過時間（ｔ）が１０分の最大時間（Ｔｍａｘ）を経過したときにも「１」が設定される。
【０３００】
ステップＳ１０５６において、判定部１００３は、経過時間測定部１００２から入力される経過時間（ｔ）と、予め定められる例えば３分で固定の制限時間（Ｔ）に基づいて、経過時間（ｔ）が制限時間（Ｔ）を過ぎたか否かを判定し、過ぎていないと判定した場合、ステップＳ１０５７に進む。
【０３０１】
ステップＳ１０５７において、落書き時間表示制御部１００５は、落書き画面に表示される残り時間のカウントダウンを更新表示させる。
【０３０２】
図４３は、編集用操作パネル４１に表示される落書き画面の例を示す図である。
【０３０３】
図４３に示される落書き画面は、基本的には、図１４等に示される画面と同様である。すなわち、画面のほぼ中央に編集対象（落書き対象）の画像が表示され、その周りに、落書きを行うためのツールであるスタンプやペン、ブラシ類を選択するボタン等が表示される。
【０３０４】
また、図４３に示される画面には、残りの落書き時間が「１８０秒（３分）」であることが吹き出し１０２１に表示されている。この表示は、経過時間測定部１００２による計測結果に基づいて落書き時間表示制御部１００５により表示されるものである。残り時間の表示は、経過時間測定部１００２による計測時間が増えることに伴い、３分３０秒（２１０秒）から１ずつ減るように更新される。すなわち、図３８Ａの時刻ｔ１では「残り２１０秒」が表示され、それから３分経過後（制限時間（Ｔ）経過後）の時刻ｔ２では「残り３０秒」が表示される。
【０３０５】
ステップＳ１０５８において、顧客応対処理部２７１は、利用者による入力に従って編集対象画像の編集を行い、ステップＳ１０５９において、終了ボタンが押下されたか否かを判定する。ステップＳ１０５９において、終了ボタンが押下されていないと判定した場合、顧客応対処理部２７１は、ステップＳ１０５５に戻り、それ以降の処理を繰り返し実行し、一方、終了ボタンが押下されたと判定した場合、ステップＳ１０６０に進む。
【０３０６】
ステップＳ１０６０において、顧客応対処理部２７１は、図１２に示されるような画面を表示することで利用者にシール紙の分割数を選択させ、分割数が選択されたとき、ステップＳ１０６１に進み、落書きが施された画像をシール紙に印刷し、処理を終了させる。分割数が選択されたとき、編集用操作パネル４１には、シール取出し口３２の前方に移動することを案内する画面が表示される。画像が印刷されたシール紙は、シール取出し口３２から排出され、落書きを終えた利用者に提供される。
【０３０７】
一方、ステップＳ１０５６において、判定部１００３は、経過時間（ｔ）が制限時間（Ｔ）を過ぎたと判定した場合、ステップＳ１０６２に進む。
【０３０８】
ステップＳ１０６２において、検知部１００４は、撮影用モニタ６２に積層されているタッチパネルからの出力に基づいて、そのとき編集空間１０１で落書きを行っている利用者とは別の利用者である次客が、撮影空間２５において検知されたか否かを判定する。次客が検知されないと判定された場合（次客がいない場合）、処理はステップＳ１０６３に進む。
【０３０９】
ステップＳ１０６３において、判定部１００３は、経過時間（ｔ）が１０分の最大時間（Ｔｍａｘ）を過ぎたか否かを判定し、過ぎていないと判定した場合、ステップＳ１０６４に進む。
【０３１０】
ステップＳ１０６４において、落書き時間表示制御部１００５は、経過時間（ｔ）が１０分の最大時間（Ｔｍａｘ）を過ぎるまで、また、次客が検知されるまで、カウントダウンの進行を停止し、落書きの残り時間として「残り３０秒」を表示し続ける。すなわち、図３８Ｃの時刻ｔ２から時刻ｔ４までの時間と、図３８Ｄの時刻ｔ２から時刻ｔ６までの時間は、このように残り時間「３０秒」が固定表示されることになる。
【０３１１】
図４４は、残り時間が固定して表示されている落書き画面の例を示す図である。図においては、「残り３０秒（タイマ停止：サービス中！）」が吹き出し１０２１に表示されている。この表示から、落書きを行っている利用者は落書き時間が延長されていることを確認することができる。
【０３１２】
その後、図４４に示されるような落書き画面が表示されている状態で、ステップＳ１０５８以降の処理が実行される。
【０３１３】
ステップＳ１０６２において、検知部１００４により次客が検知されたと判定された場合、ステップＳ１０６５において、判定部１００３は、検知部１００４からのその通知に応じて猶予フラグに「１（カウントダウン開始）」を設定する。これ以降、それまで進行が停止されていた落書き時間のカウントダウンが再開され、残り時間の表示が１ずつ更新されることになる。
【０３１４】
経過時間測定部１００２は、ステップＳ１０６６において経過時間（ｔ２）の計測を開始する。その後、ステップＳ１０５８以降の処理が実行される。
【０３１５】
従って、図３８Ｂに示されるように、経過時間（ｔ）が制限時間（Ｔ）を過ぎた時刻である時刻ｔ２で次客が検知された場合、また、図３８Ｃに示されるように、残り時間の表示が停止されていた状態から、時刻ｔ４で次客が検知された場合、それ以降の時間では、経過時間（ｔ２）に応じて残り時間の表示が更新して表示されることになる（ステップＳ１０６８）。
【０３１６】
また、ステップＳ１０６３において、経過時間（ｔ）が最大時間（Ｔｍａｘ）を過ぎたと判定した場合も同様に、判定部１００３は、ステップＳ１０６５において猶予フラグの設定を変更する。また、経過時間測定部１００２は、ステップＳ１０６６において経過時間（ｔ２）の計測を開始する。
【０３１７】
従って、図３８Ｄに示されるように、経過時間（ｔ）が最大時間（Ｔｍａｘ）を過ぎた時刻である時刻ｔ６以降の時間では、経過時間（ｔ２）に応じて残り時間の表示が更新して表示されることになる（ステップＳ１０６８）。
【０３１８】
ステップＳ１０５５において、判定部１００３は、ステップＳ６５の処理で設定が変更されたことから、猶予時間フラグの設定が「１（カウントダウン中）」であると判定した場合、ステップＳ１０６７に進み、ステップＳ１０６６で計測が開始された経過時間（ｔ２）が、猶予時間（Ｔｔ）を経過したか否かを判定する。すなわち、そのとき落書きを行っている利用者の時間として、ゲームが行われるなどして決定された猶予時間（Ｔｔ）は、猶予時間設定部１００１から判定部１００３に通知されている。
【０３１９】
ゲームを行っていない利用者や、ゲームを行ったが、所定の点数（上述した例では５０点）未満しか得点を挙げることができなかった利用者の猶予時間（Ｔｔ）は例えば３０秒であり、ゲームにより所定の点数以上の高得点を挙げた利用者の猶予時間（Ｔｔ）は例えば６０秒である。
【０３２０】
ステップＳ１０６７において、判定部１００３は、経過時間（ｔ２）が猶予時間（Ｔｔ）を経過していないと判定した場合、ステップＳ１０６８に進み、残り時間の表示を更新させる。従って、猶予時間（Ｔｔ）が３０秒である利用者の編集画面には、例えば、図４５に示されるような残り時間の表示が現れる。図４５の例においては、「残り２９秒  いそいで！」のメッセージが吹き出し１０２１に表示されている。
【０３２１】
なお、猶予時間（Ｔｔ）が３０秒ではなく６０秒である場合、さらに、３０秒だけ残り時間の表示が停止され、猶予時間（Ｔｔ）の残り時間が３０秒になった時刻で残り時間のカウントダウンが再開されるようにしてもよいし、猶予時間（Ｔｔ）のカウントダウンが３０秒から開始されるのではなく、６０秒から開始されるようにしてもよい。
【０３２２】
ステップＳ１０６７において、判定部１００３は、経過時間（ｔ２）が猶予時間（Ｔｔ）を経過したと判定した場合、ステップＳ１０６９に進み、落書き時間の終了であることを表示し、ステップＳ１０６０以降の処理を行う。従って、図３８Ｂの時刻ｔ３、図３８Ｃの時刻ｔ５、図３８Ｄの時刻ｔ７においては、落書き画面の吹き出し１０２１には「残り０秒」などが表示される。
【０３２３】
実施例１のものとは異なり、以上のような処理で落書き時間がそのときの状況に応じて延長されるようにしてもよい。これにより、写真シール販売機１０の回転効率を下げることのない範囲で、十分な落書き時間を確保することが可能になる。
【０３２４】
以上においては、落書きの残り時間が数字のみで表示される場合について説明したが、例えば、図４６に示されるように、猶予時間（Ｔｔ）のカウントダウンが開始されるまでは、インジケータ１０３１により表示され、猶予時間（Ｔｔ）のカウントダウンが開始された後は、数字で表示されるようにしてもよい。猶予時間（Ｔｔ）のカウントダウンが開始されるまでの例えば制限時間（Ｔ）内の時刻においては、だいたいの残り時間が把握できればよいため、このような表示とすることで利用者は残り時間を直感的に把握することができる。
【実施例３】
【０３２５】
上述した実施例２においては、猶予時間（Ｔｔ）を決定するためのゲームが撮影時に行われるとしたが、落書き時間内の所定のタイミングで行われるようにしてもよい。
【０３２６】
この場合の落書き時間の例を図４７Ａ乃至Ｅに示す。
【０３２７】
この場合も、図４７Ａに示されるように制限時間（Ｔ）は例えば固定の３分とされる。
【０３２８】
落書き開始から制限時間（Ｔ）経過後の時刻ｔ２において、撮影空間２５に、そのとき落書きを行っている利用者とは異なる他の利用者（次客）がいるか否かの検知が行われ、次客がいることが検知された場合、猶予時間（Ｔｔ）を決定するためのゲームを行うか否かが利用者により選択される。
【０３２９】
ゲームを行うことが選択された場合にはそのゲームの結果から猶予時間（Ｔｔ）が設定される。また、ゲームを行うことが選択されなかった場合には、猶予時間（Ｔｔ）としてデフォルトの３０秒が設定される。
【０３３０】
図４７Ｂは、時刻ｔ２で次客が検知され、そのとき表示される選択画面から、ゲームを行うことが選択されなかった場合の落書き時間の例を示す図である。この場合、図４７Ｂに示されるように、時刻ｔ２から３０秒の猶予時間（Ｔｔ）のカウントダウンが開始され、時刻ｔ２から３０秒の猶予時間（Ｔｔ）経過後の時刻ｔ３まで落書きが可能とされる。
【０３３１】
図４７Ｃは、時刻ｔ２で次客が検知され、そのとき表示される選択画面から、ゲームを行うことが選択された場合の落書き時間の例を示す図である。この場合、図４７Ｃに示されるように時刻ｔ２からゲームが開始される。
【０３３２】
例えば、ルーレットなどのゲームの画面が編集用操作パネル４１に表示され、その結果に応じて、ゲーム終了後にカウントダウンが開始される猶予時間（Ｔｔ）が決定される。なお、ゲームの時間は、例えば、２０秒間で行われる。
【０３３３】
図４７Ｃにおいては、ゲームの終了時刻である時刻ｔ４から猶予時間（Ｔｔ）（β秒）だけ落書き時間が延長され、時刻ｔ５まで落書きが可能となる。
【０３３４】
一方、時刻ｔ２で行われる検知により、撮影空間２５に次客がいないことが検知された場合、落書き開始からの時間が最大時間（Ｔｍａｘ）を過ぎるまでを限度として、次客が検知されるまで落書き時間が延長される。
【０３３５】
図４７Ｄは、時刻ｔ２から１分間経過後の時刻ｔ６で次客が検知され、そのとき表示される選択画面から、ゲームを行うことが選択された場合の落書き時間の例を示す図である。この場合、時刻ｔ６から時刻ｔ７までの間にゲームが行われ、その後の猶予時間（Ｔｔ）が決定される。
【０３３６】
ゲーム終了時刻の時刻ｔ７から、ゲームにより決定された猶予時間（Ｔｔ）（β秒）経過後の時刻ｔ８までさらに落書きが可能とされる。すなわち、この場合、制限時間（Ｔ）に付加される落書きの延長時間は「次客が検知されるまでの時間（この例の場合１分間）＋猶予時間（Ｔｔ）」である。
【０３３７】
図４７Ｅは、落書きの開始時刻である時刻ｔ１からの経過時間が最大時間（Ｔｍａｘ）となるまで次客が検知されない場合の落書き時間の例を示す図である。
【０３３８】
この場合、図４７Ｅに示されるように、時刻ｔ１からの時間が最大時間（Ｔｍａｘ）を経過した時刻ｔ９でゲームを行うか否かを選択する選択画面が表示される。その選択画面でゲームを行うことが選択された場合、時刻ｔ１０までの間にゲームが行われ、時刻ｔ１０から、ゲームにより決定された猶予時間（Ｔｔ）（β秒）経過後の時刻ｔ１１まで落書きが可能とされる。すなわち、この場合、制限時間（Ｔ）に付加される落書きの延長時間は「制限時間（Ｔ）の経過から７分間＋猶予時間（Ｔｔ）」となる。
【０３３９】
以上のようにして、落書き時に選択的に行われるゲームの結果から猶予時間（Ｔｔ）が決定されるようにしてもよい。
【０３４０】
図４８は、以上のように、落書き時間中に行われるゲームの結果により猶予時間（Ｔｔ）が決定される場合の落書き側の処理を説明するフローチャートである。
【０３４１】
この処理は、そのステップＳ１１１６において、ゲームを行うか否かを選択させる選択画面が表示される点（猶予時間設定処理が行われる点）を除いて図４２を参照して説明した処理と同様であるため、重複する説明については省略する。
【０３４２】
すなわち、ステップＳ１１１２において、次客が検知されたと判定された場合、ステップＳ１１１５において、猶予時間フラグに「１（カウントダウン中）」が設定され、ステップＳ１１１６に進み、編集用操作パネル４１に選択画面が表示される。
【０３４３】
また、利用者が検知されない場合でも、ステップＳ１１１３において、経過時間（ｔ）が最大時間（Ｔｍａｘ）を過ぎたと判定された場合、ステップＳ１１１５で猶予時間フラグに「１（カウントダウン中）」が設定された後、ステップＳ１１１６において、編集用操作パネル４１に選択画面が表示される。
【０３４４】
なお、このように、落書き時間中に猶予時間（Ｔｔ）を決定するゲームが行われる場合、撮影側の処理は、ゲームが省略される点を除いて図４０の処理と基本的に同様である。
【０３４５】
ここで、図４９のフローチャートを参照して、図４８のステップＳ１１１６において実行される猶予時間設定処理について説明する。
【０３４６】
猶予時間設定部１００１は、ステップＳ１１３１において、編集用操作パネル４１に表示された選択画面から、ゲームを行うことが選択されたか否かを判定し、選択されていないと判定した場合、ステップＳ１１３２に進み、例えば３０秒のデフォルトの時間を猶予時間（Ｔｔ）とする。その後、処理は、図４８のステップＳ１１１７以降に進む。
【０３４７】
一方、ステップＳ１１３１において、ゲームを行うことが選択されたと判定した場合、猶予時間設定部１００１は、ステップＳ１１３３に進み、ゲームの画面を編集用操作パネル４１に表示させる。
【０３４８】
ステップＳ１１３４において、猶予時間設定部１００１は、ゲームが終了したか否かを判定し、終了していないと判定した場合、ステップＳ１１３３に戻り、ゲームの画面を表示し続ける。また、猶予時間設定部１００１は、ステップＳ１１３４において、ゲームが終了したと判定した場合、ステップＳ１１３５に進み、得点に応じた時間（β秒）を猶予時間（Ｔｔ）とする。
【０３４９】
１００点満点のゲームである場合、例えば、満点を挙げた利用者には１３０秒の猶予時間（Ｔｔ）が与えられ、８０点以上１００点未満の得点を挙げた利用者には１１０秒の猶予時間（Ｔｔ）が与えられる。また、６０点以上８０点未満の得点を挙げた利用者には９０秒の猶予時間（Ｔｔ）が与えられ、４０点以上６０点未満の得点を挙げた利用者には７０秒の猶予時間（Ｔｔ）が与えられる。さらに、０点以上４０点未満の得点を挙げた利用者には５０秒の猶予時間（Ｔｔ）が与えられる。
【０３５０】
その後、このようにして決定された猶予時間（Ｔｔ）が経過するまで、さらに落書きが可能とされる。
【０３５１】
なお、ここで行われる猶予時間（Ｔｔ）を決定するためのゲームは、簡単に高得点を挙げることができるものであってもよい。次客が検知されてから行われるこのゲームの時間が２０秒、落書き時間終了後の分割数の選択時間が２０秒とした場合、１００点を挙げたときでも、上述した例の場合決定される猶予時間（Ｔｔ）は１３０秒であるから、次客が検知されてから１７０秒（２０秒＋２０秒＋１３０秒）後には、落書きを終えた利用者は編集空間１０１からシール取出し口３２の前方に移動することになる。
【０３５２】
一方、撮影を行っている利用者は、１８０秒後（上述したように、撮影の制限時間も３分である場合）に撮影空間２５から編集空間１０１に移動することから、このように、高得点を簡単に挙げることができるようにした場合でも、編集空間１０１に他の利用者がいることにより、撮影を終えた利用者が、すぐに落書きを開始することができないということはない。
【０３５３】
また、落書き時間中に行われる猶予時間（Ｔｔ）を決定するためのゲームは、制限時間（Ｔ）内に次客が検知された場合には行われないようにしてもよい（図４７Ｃに示されるケースは生じ得ないようにしてもよい）。これにより、編集空間１０１に他の利用者がいることにより、撮影を終えた利用者が、すぐに落書きを開始することができないといったことを防止することができる。
【０３５４】
図５０は、写真シール販売機１０の外観の他の例を示す斜視図であり、図５１は、その装置本体２１の例を示す斜視図である。図５０、図５１の例においては、図１、図２に示されるものと比較してコイン投入口の設置位置が相違しており、コイン投入口３８Ａが、撮影用操作パネル６４の隣に設置されている。従って、この場合、利用者は撮影空間２５に入ってからコインの投入を行い、撮影を開始させる。
【０３５５】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０３５６】
【図１】本発明を適用した写真シール販売機の外観の構成例を示す斜視図である。
【図２】図１の装置本体の外観の構成例を示す斜視図である。
【図３】図１の写真シール販売機の俯瞰図である。
【図４】プレーヤの移動を説明する図である。
【図５】図１の写真シール販売機の構成例を示すブロック図である。
【図６】写真シール販売機の顧客応対処理を説明するフローチャートである。
【図７】図５のステップＳ１０３の処理を詳細に説明するフローチャートである。
【図８】図７のステップＳ１２１における撮影用モニタの表示例を示す図である。
【図９】図７のステップＳ１２５における撮影用モニタの表示例を示すである。
【図１０】図６のステップＳ１０５の処理を詳細に説明するフローチャートである。
【図１１】図１０のステップＳ１５１における撮影用モニタの表示例を示す図である。
【図１２】図１０のステップＳ１５６における撮影用モニタの表示例を示す図である。
【図１３】図６のステップＳ１０５の処理を詳細に説明するフローチャートである。
【図１４】図１３のステップＳ１７１における編集用モニタの表示例を示す図である。
【図１５】図１３のステップＳ１７６における編集用モニタの表示例を示す図である。
【図１６】図１３のステップＳ１７９における編集用モニタの表示例を示す図である。
【図１７】図１３のフローチャートの処理による編集処理の制限時間について説明する図である。
【図１８】図６のステップＳ１０３の処理を詳細に説明する他のフローチャートである。
【図１９】図６のステップＳ１０５の処理を詳細に説明する他のフローチャートである。
【図２０】図１９のステップＳ２３１における編集用モニタの表示例を示す図である。
【図２１】図１９のフローチャートの処理による編集処理の制限時間について説明する図である。
【図２２】図６のステップＳ１０５の処理を詳細に説明する、さらに他のフローチャートである。
【図２３】図６のステップＳ１０５の処理を詳細に説明するフローチャートである。
【図２４】図６のステップＳ１０５の処理を詳細に説明する他のフローチャートである。
【図２５】図２４のステップＳ３２６における編集用モニタの表示例を示す図である。
【図２６】図２４のステップＳ３２９における編集用モニタの表示例を示す図である。
【図２７】図６のステップＳ１０５の処理を詳細に説明する、さらに他のフローチャートである。
【図２８】図６のステップＳ１０５の処理を詳細に説明するフローチャートである。
【図２９】写真シール販売機の催促ボタン表示処理を説明するフローチャートである。
【図３０】図６のステップＳ１０５の処理を詳細に説明する他のフローチャートである。
【図３１】図６のステップＳ１０５の処理を詳細に説明する、さらに他のフローチャートである。
【図３２】図６のステップＳ１０５の処理を詳細に説明するフローチャートである。
【図３３】図６のステップＳ１０５の処理を詳細に説明する、図３２に続くフローチャートである。
【図３４】図３２のステップＳ５０１における編集用モニタの表示例を示す図である。
【図３５】図３２のステップＳ５０３における編集用モニタの表示例を示す図である。
【図３６】図３２のステップＳ５０５における編集用モニタの表示例を示す図である。
【図３７】図３２のステップＳ５０５における編集用モニタの他の表示例を示す図である。
【図３８】落書き時間の例を示す図である。
【図３９】図５の顧客応対処理部の機能構成例を示すブロック図である。
【図４０】撮影側の処理を説明するフローチャートである。
【図４１】図４０のステップＳ１０１５において実行される猶予時間設定処理について説明するフローチャートである。
【図４２】落書き側の処理を説明するフローチャートである。
【図４３】編集画面の例を示す図である。
【図４４】編集画面の他の例を示す図である。
【図４５】編集画面のさらに例を示す図である。
【図４６】編集画面の例を示す図である。
【図４７】落書き時間の例を示す他の図である。
【図４８】撮影側の他の処理を説明するフローチャートである。
【図４９】図４８のステップＳ１１１６において実行される猶予時間設定処理について説明するフローチャートである。
【図５０】本発明を適用した写真シール販売機の外観の他の構成例を示す斜視図である。
【図５１】図５０の装置本体の外観の他の構成例を示す斜視図である。
【符号の説明】
【０３５７】
１０  写真シール販売機
２１  装置本体
２５  撮影空間
３１  コイン投入口
３２  シール取出し口
４１−１，４１−２  編集用操作パネル
４２−１，４２−２  落書きペン
６１  撮像装置
６２  撮影用モニタ
６４  撮影用操作パネル
７１  カメラ
７２  取り込み画像表示部
１０１  編集空間
１０２  プレイ待ち空間
２０１  制御装置
２０２  硬貨処理部
２０３  記憶装置
２０６  プリンタ
２０７  シール紙ユニット
２１１  シールシート
２３１−１，２３１−２  編集用モニタ
２３２−１，２３２−２  タッチパネル
２７１  顧客応対処理部
【図１】
2004336704.tif 000003
【図２】
2004336704.tif 000004
【図３】
2004336704.tif 000005
【図４】
2004336704.tif 000006
【図５】
2004336704.tif 000007
【図６】
2004336704.tif 000008
【図７】
2004336704.tif 000009
【図８】
2004336704.tif 000010
【図９】
2004336704.tif 000011
【図１０】
2004336704.tif 000012
【図１１】
2004336704.tif 000013
【図１２】
2004336704.tif 000014
【図１３】
2004336704.tif 000015
【図１４】
2004336704.tif 000016
【図１５】
2004336704.tif 000017
【図１６】
2004336704.tif 000018
【図１７】
2004336704.tif 000019
【図１８】
2004336704.tif 000020
【図１９】
2004336704.tif 000021
【図２０】
2004336704.tif 000022
【図２１】
2004336704.tif 000023
【図２２】
2004336704.tif 000024
【図２３】
2004336704.tif 000025
【図２４】
2004336704.tif 000026
【図２５】
2004336704.tif 000027
【図２６】
2004336704.tif 000028
【図２７】
2004336704.tif 000029
【図２８】
2004336704.tif 000030
【図２９】
2004336704.tif 000031
【図３０】
2004336704.tif 000032
【図３１】
2004336704.tif 000033
【図３２】
2004336704.tif 000034
【図３３】
2004336704.tif 000035
【図３４】
2004336704.tif 000036
【図３５】
2004336704.tif 000037
【図３６】
2004336704.tif 000038
【図３７】
2004336704.tif 000039
【図３８】
2004336704.tif 000040
【図３９】
2004336704.tif 000041
【図４０】
2004336704.tif 000042
【図４１】
2004336704.tif 000043
【図４２】
2004336704.tif 000044
【図４３】
2004336704.tif 000045
【図４４】
2004336704.tif 000046
【図４５】
2004336704.tif 000047
【図４６】
2004336704.tif 000048
【図４７】
2004336704.tif 000049
【図４８】
2004336704.tif 000050
【図４９】
2004336704.tif 000051
【図５０】
2004336704.tif 000052
【図５１】
2004336704.tif 000053